(57)【要約】  本開示は、移動通信システムにおいてソース基地局からターゲット基地局へのハンドオーバ手順を行うための移動端末に関する。ターゲット基地局は、移動端末のためにそのセル帯域幅内の少なくとも第１帯域幅部分および異なる第２帯域幅部分で構成される。移動端末は、動作時にソース基地局から構成された少なくとも第１帯域幅部分および第２帯域幅部分に関する情報を含むハンドオーバコマンドメッセージを受信するトランシーバと、動作時およびハンドオーバコマンドメッセージの受信時に、トランシーバにおいて、構成された少なくとも第１帯域幅部分または第２帯域幅部分のうちの少なくとも予め選択された１つをアクティブ化し、構成された少なくとも第１帯域幅部分または第２帯域幅部分のうちのアクティブ化された少なくとも１つでハンドオーバ手順の一部としてターゲット基地局との通信を行うようにトランシーバを制御する、プロセッサとを含む。
2021514120.tif 000002
【特許請求の範囲】
【請求項１】
動作時にソース基地局（２００−ａ）から少なくとも構成された第１帯域幅部分（ＢＷＰ＃０）および構成された第２帯域幅部分（ＢＷＰ＃１）に関する情報を含むハンドオーバコマンドメッセージを受信するトランシーバ（１２０）と、
動作時および前記ハンドオーバコマンドメッセージの受信時に、前記トランシーバ（１２０）において、前記構成された少なくとも第１帯域幅部分（ＢＷＰ＃０）または第２帯域幅部分（ＢＷＰ＃１）のうちの少なくとも予め選択された１つをアクティブ化し、前記構成された少なくとも第１帯域幅部分（ＢＷＰ＃０）または第２帯域幅部分（ＢＷＰ＃１）のうちの前記アクティブ化された少なくとも１つでハンドオーバ手順の一部としてターゲット基地局（２００−ｂ）との通信を行うように前記トランシーバ（１２０）を制御するプロセッサ（１３０）と、
を含む、移動端末（１００）。
【請求項２】
前記構成された少なくとも第１帯域幅部分（ＢＷＰ＃０）および第２帯域幅部分（ＢＷＰ＃１）に関する前記情報は、特定のシーケンスがあり、前記プロセッサ（１３０）は、動作時に、前記特定のシーケンスの最初の帯域幅部分もしくは最後の帯域幅部分、または前記少なくとも第１帯域幅部分（ＢＷＰ＃０）および前記第２帯域幅部分（ＢＷＰ＃１）より多くの帯域幅部分が構成される場合には特定の他の帯域幅部分を、前記帯域幅部分のうちの前記予め選択された１つとしてアクティブ化し、または、
前記受信されるハンドオーバコマンドメッセージは、帯域幅部分インデックスをさらに含み、前記プロセッサ（１３０）は、前記帯域幅部分インデックスに対応する、前記構成された少なくとも第１帯域幅部分（ＢＷＰ＃０）または前記第２帯域幅部分（ＢＷＰ＃１）のうちの前記予め選択された１つをアクティブ化する、
請求項１に記載の移動端末（１００）。
【請求項３】
前記プロセッサ（１３０）は、前記ハンドオーバ手順の一部として少なくとも前記ターゲット基地局（２００−ｂ）へのランダムアクセスメッセージ送信を行うように前記トランシーバ（１２０）を制御し、および／または
前記受信されるハンドオーバコマンドメッセージが、前記構成された少なくとも第１帯域幅部分（ＢＷＰ＃０）および第２帯域幅部分（ＢＷＰ＃１）のうちの少なくとも前記予め選択された１つと関連付けられた複数の異なるランダムアクセス送信パラメータをさらに含む場合には、前記プロセッサ（１３０）は、前記構成された少なくとも第１帯域幅部分（ＢＷＰ＃０）または前記第２帯域幅部分（ＢＷＰ＃１）のうちの前記アクティブ化された選択された１つに関連付けられた前記ランダムアクセス送信パラメータを使用して少なくとも前記ターゲット基地局（２００−ｂ）へのランダムアクセスメッセージ送信を行うように前記トランシーバ（１２０）を制御する、
請求項１に記載の移動端末（１００）。
【請求項４】
動作時にソース基地局（２００−ａ）から少なくとも構成された第１帯域幅部分（ＢＷＰ＃０）および構成された第２帯域幅部分（ＢＷＰ＃１）に関する情報を含むハンドオーバコマンドメッセージを受信するトランシーバ（１２０）と、
動作時および前記ハンドオーバコマンドメッセージの受信時に、前記トランシーバ（１２０）において、前記構成された少なくとも第１帯域幅部分（ＢＷＰ＃０）または前記第２帯域幅部分（ＢＷＰ＃１）のうちの少なくとも１つを選択およびアクティブ化し、前記構成された少なくとも第１帯域幅部分（ＢＷＰ＃０）または前記第２帯域幅部分（ＢＷＰ＃１）のうちの前記選択およびアクティブ化された少なくとも１つでハンドオーバ手順の一部としてターゲット基地局（２００−ｂ）との通信を行うように前記トランシーバ（１２０）を制御するプロセッサ（１３０）と、
を含む、移動端末（１００）。
【請求項５】
前記受信されるハンドオーバコマンドメッセージは、帯域幅部分インデックスをさらに含み、前記プロセッサ（１３０）は、動作時に、前記トランシーバ（１２０）において、前記帯域幅部分インデックスに対応する、前記構成された少なくとも第１帯域幅部分（ＢＷＰ＃０）または前記第２帯域幅部分（ＢＷＰ＃１）のサブセットのうちの１つを選択およびアクティブ化し、または、
前記帯域幅部分インデックスは、特定のダウンリンク帯域幅部分に対するアップリンク帯域幅部分のサブセットにインデックス付けし、前記プロセッサ（１３０）は、動作時に、前記トランシーバ（１２０）において、前記帯域幅部分インデックスに対応する、前記構成された少なくとも第１帯域幅部分（ＢＷＰ＃０）または前記第２帯域幅部分（ＢＷＰ＃１）の前記サブセットを選択およびアクティブ化し、および／または
前記受信されるハンドオーバコマンドメッセージは、前記構成された少なくとも第１帯域幅部分（ＢＷＰ＃０）および第２帯域幅部分（ＢＷＰ＃１）のそれぞれまたはサブセットと関連付けられた複数の異なるランダムアクセス送信パラメータをさらに含み、
前記プロセッサ（１３０）は、動作時に、前記構成された少なくとも第１帯域幅部分（ＢＷＰ＃０）または前記第２帯域幅部分（ＢＷＰ＃１）のうちの前記選択およびアクティブ化された１つに関連付けられた前記ランダムアクセス送信パラメータを使用して少なくともランダムアクセスメッセージの送信を行うように前記トランシーバ（１２０）を制御し、および、
前記複数のランダムアクセス送信パラメータは、
−前記ランダムアクセスメッセージとともに送信されるランダムアクセスプリアンブルシーケンス、および
−前記ターゲット基地局（２００−ｂ）に前記ランダムアクセスメッセージを送信するときに前記移動端末により使用される無線チャネルリソースの時間および周波数
のうちの少なくとも１つまたは複数を含む、
請求項４に記載の移動端末（１００）。
【請求項６】
動作時にソース基地局（２００−ａ）から少なくとも構成された第１帯域幅部分（ＢＷＰ＃０）および構成された第２帯域幅部分（ＢＷＰ＃１）で通信する移動端末（１００）の能力に関する情報を含むハンドオーバ要求メッセージを受信するトランシーバ（２２０−ｂ）と、
動作時および前記ハンドオーバ要求メッセージの受信時に、前記移動端末（１００）のために少なくとも前記第１帯域幅部分（ＢＷＰ＃０）および前記第２帯域幅部分（ＢＷＰ＃１）を構成するように前記トランシーバ（２２０−ｂ）を制御し、前記ソース基地局（２００−ａ）にハンドオーバ要求応答確認メッセージを送信するように前記トランシーバ（２２０−ｂ）を制御するプロセッサ（２３０−ｂ）であって、前記ハンドオーバ要求応答確認メッセージは前記構成された少なくとも第１帯域幅部分（ＢＷＰ＃０）および第２帯域幅部分（ＢＷＰ＃１）に関する情報を含む、プロセッサ（２３０−ｂ）と、
を含む、ターゲット基地局（２００−ｂ）。
【請求項７】
前記プロセッサ（２３０−ｂ）は、動作時および前記ハンドオーバ要求応答確認メッセージを送信するように前記トランシーバ（２２０−ｂ）を制御した後に、前記トランシーバ（２２０−ｂ）において、前記構成された少なくとも第１帯域幅部分（ＢＷＰ＃０）または第２帯域幅部分（ＢＷＰ＃１）のうちの前記移動端末（１００）がアクティブ化することが期待される同じ予め選択された１つをアクティブ化し、
前記構成された少なくとも第１帯域幅部分（ＢＷＰ＃０）および第２帯域幅部分（ＢＷＰ＃１）に関する前記情報は、特定のシーケンスがあり、前記プロセッサ（２３０−ｂ）は、動作時に、前記特定のシーケンスの最初の帯域幅部分もしくは最後の帯域幅部分、または前記少なくとも第１帯域幅部分（ＢＷＰ＃０）および前記第２帯域幅部分（ＢＷＰ＃１）より多くの帯域幅部分が構成される場合には特定の他の帯域幅部分を、前記帯域幅部分のうちの前記予め選択された１つとしてアクティブ化し、または、
前記ハンドオーバ要求応答確認メッセージは、帯域幅部分インデックスをさらに含み、前記プロセッサ（２３０−ｂ）は、動作時に、前記帯域幅部分インデックスに対応する、前記構成された少なくとも第１帯域幅部分（ＢＷＰ＃０）または前記第２帯域幅部分（ＢＷＰ＃１）のうちの前記予め選択された１つをアクティブ化する、
請求項６に記載のターゲット基地局（２００−ｂ）。
【請求項８】
前記ハンドオーバ要求メッセージは、アクティブ化された帯域幅部分の状態に関する情報または予測トラフィック情報をさらに含み、
前記プロセッサ（２３０−ｂ）は、動作時および前記ハンドオーバ要求メッセージの受信時に、前記移動端末（１００）がハンドオーバ手順の一部として前記予め選択された帯域幅部分としてアクティブ化することが期待される前記少なくとも前記第１帯域幅部分（ＢＷＰ＃０）および前記第２帯域幅部分（ＢＷＰ＃１）のうちの少なくとも１つを選択およびアクティブ化するように前記トランシーバ（２２０−ｂ）を制御する、
請求項６または７に記載のターゲット基地局（２００−ｂ）。
【請求項９】
前記プロセッサ（２３０−ｂ）は、動作時および前記ハンドオーバ要求応答確認メッセージを送信するように前記トランシーバ（２２０−ｂ）を制御した後に、前記トランシーバ（２２０−ｂ）において、前記構成された少なくとも第１帯域幅部分（ＢＷＰ＃０）または第２帯域幅部分（ＢＷＰ＃１）のうちのすべてをアクティブ化する、
請求項６に記載のターゲット基地局（２００−ｂ）。
【請求項１０】
前記ハンドオーバ要求応答確認メッセージは、
−前記構成された少なくとも第１帯域幅部分（ＢＷＰ＃０）および第２帯域幅部分（ＢＷＰ＃１）のうちの異なるものとそれぞれ関連付けられた複数の異なるアップリンク共有チャネル送信パラメータ
をさらに含み、
前記プロセッサ（２３０−ｂ）は、動作時に、前記構成された少なくとも第１帯域幅部分（ＢＷＰ＃０）または前記第２帯域幅部分（ＢＷＰ＃１）と関連付けられた前記複数のアップリンク共有チャネル送信パラメータのうちのすべてを使用してハンドオーバ完了メッセージの送信の候補をスケジューリングするように前記トランシーバ（２２０−ｂ）を制御し、任意に、
前記複数のアップリンク共有チャネル送信パラメータは、
−前記ターゲット基地局（２００−ｂ）に前記ハンドオーバ完了メッセージを送信するときに前記移動端末（１００）により使用される無線チャネルリソースの時間および周波数
を含み、
前記ハンドオーバ要求応答確認メッセージが、前記構成された少なくとも第１帯域幅部分（ＢＷＰ＃０）および第２帯域幅部分（ＢＷＰ＃１）のうちの異なるものとそれぞれ関連付けられた複数のアップリンク共有チャネル送信パラメータをさらに含む場合には、前記トランシーバ（２２０−ｂ）は、動作時に、前記移動端末（１００）から、前記構成された少なくとも第１帯域幅部分（ＢＷＰ＃０）または前記第２帯域幅部分（ＢＷＰ＃１）のうちの前記移動端末（１００）によって選択およびアクティブ化されたものに関連付けられた前記複数のアップリンク共有チャネル送信パラメータのうちの１つを使用してハンドオーバ完了メッセージ送信をさらに受信し、
前記プロセッサ（２３０−ｂ）は、動作時に、前記移動端末（１００）が選択およびアクティブ化していない、前記構成された少なくとも第１帯域幅部分（ＢＷＰ＃０）および第２帯域幅部分（ＢＷＰ＃１）のうちの残りを非アクティブ化する、
請求項６に記載のターゲット基地局（２００−ｂ）。
【請求項１１】
前記ハンドオーバ要求応答確認メッセージは、
−前記構成された少なくとも第１帯域幅部分（ＢＷＰ＃０）および第２帯域幅部分（ＢＷＰ＃１）のうちの異なるものとそれぞれ関連付けられた複数の異なるランダムアクセス送信パラメータ
をさらに含み、
前記プロセッサ（２３０−ｂ）は、前記構成された少なくとも第１帯域幅部分（ＢＷＰ＃０）または前記第２帯域幅部分（ＢＷＰ＃１）に関連付けられた前記複数のランダムアクセス送信パラメータのうちのすべてを使用してランダムアクセスメッセージの送信を予約するように前記トランシーバ（２２０−ｂ）を制御し、
前記複数のランダムアクセス送信パラメータは、
−前記ランダムアクセスメッセージとともに送信されるランダムアクセスプリアンブルシーケンス、
−前記ターゲット基地局（２００−ｂ）に前記ランダムアクセスメッセージを送信するときに前記移動端末（１００）により使用される無線チャネルリソースの時間および周波数
のうちの少なくとも１つまたは複数を含み、
前記ハンドオーバ要求応答確認メッセージが、前記構成された少なくとも第１帯域幅部分（ＢＷＰ＃０）および第２帯域幅部分（ＢＷＰ＃１）のうちの異なるものとそれぞれ関連付けられた複数の異なるランダムアクセス送信パラメータをさらに含む場合には、前記トランシーバ（２２０−ｂ）は、動作時に、前記移動端末（１００）から、前記構成された少なくとも第１帯域幅部分（ＢＷＰ＃０）または前記第２帯域幅部分（ＢＷＰ＃１）のうちの前記移動端末（１００）によって選択およびアクティブ化されたものに関連付けられた前記複数のランダムアクセス送信パラメータのうちの１つを使用してランダムアクセスメッセージ送信をさらに受信し、
前記プロセッサ（２３０−ｂ）は、動作時に、前記移動端末（１００）が選択およびアクティブ化していない、前記構成された少なくとも第１帯域幅部分（ＢＷＰ＃０）および第２帯域幅部分（ＢＷＰ＃１）のうちの残りを非アクティブ化する、
請求項６に記載のターゲット基地局（２００−ｂ）。
【請求項１２】
前記ハンドオーバ要求メッセージは、
−前記ソース基地局（２００−ａ）で前記移動端末（１００）のために構成された少なくとも第３帯域幅部分および異なる第４帯域幅部分に関する情報
をさらに含み、
前記ハンドオーバ要求メッセージは、
−前記ソース基地局（２００−ａ）の前記構成された少なくとも第３帯域幅部分および第４帯域幅部分のうちのアクティブ化された１つに関する情報
をさらに含み、
前記プロセッサ（２３０−ｂ）は、動作時に、前記トランシーバ（２２０−ｂ）において、前記移動端末（１００）のために、前記第３帯域幅部分および前記第４帯域幅部分にそれぞれ基づいて前記第１帯域幅部分（ＢＷＰ＃０）および前記第２帯域幅部分（ＢＷＰ＃１）を構成し、
前記プロセッサ（２３０−ｂ）は、動作時に、帯域幅部分インデックスを含む前記ハンドオーバ要求応答確認メッセージを送信するように前記トランシーバ（２２０−ｂ）を制御し、
前記帯域幅部分インデックスは、前記ソース基地局（２００−ａ）の前記構成された少なくとも第３帯域幅部分および第４帯域幅部分のうちの以前にアクティブ化されたものと同じ帯域幅部分を指示する、
請求項６に記載のターゲット基地局（２００−ｂ）。
【請求項１３】
ハンドオーバ手順を行うための方法であって、
ソース基地局（２００−ａ）から、少なくとも構成された第１帯域幅部分（ＢＷＰ＃０）および構成された第２帯域幅部分（ＢＷＰ＃１）に関する情報を含むハンドオーバコマンドメッセージを受信するステップと、
前記ハンドオーバコマンドメッセージの受信時に、前記構成された少なくとも第１帯域幅部分（ＢＷＰ＃０）または第２帯域幅部分（ＢＷＰ＃１）のうちの少なくとも予め選択された１つをアクティブ化し、前記構成された少なくとも第１帯域幅部分（ＢＷＰ＃０）または第２帯域幅部分（ＢＷＰ＃１）のうちの前記アクティブ化された少なくとも１つで前記ハンドオーバ手順の一部としてターゲット基地局（２００−ｂ）と通信するステップと、
を含む、方法。
【請求項１４】
移動端末（１００）のハンドオーバ手順を行うための方法であって、
ソース基地局（２００−ａ）から、少なくとも構成された第１帯域幅部分（ＢＷＰ＃０）および構成された第２帯域幅部分（ＢＷＰ＃１）に関する情報を含むハンドオーバコマンドメッセージを受信するステップと、
前記ハンドオーバコマンドメッセージの受信時に、前記構成された少なくとも第１帯域幅部分（ＢＷＰ＃０）または前記第２帯域幅部分（ＢＷＰ＃１）のうちの少なくとも１つを選択およびアクティブ化し、前記構成された少なくとも第１帯域幅部分（ＢＷＰ＃０）または前記第２帯域幅部分（ＢＷＰ＃１）のうちの前記選択およびアクティブ化された少なくとも１つでハンドオーバ手順の一部としてターゲット基地局（２００−ｂ）と通信するステップと、
を含む、方法。
【請求項１５】
ターゲット基地局（２００−ｂ）がハンドオーバ手順を行うための方法であって、
ソース基地局（２００−ａ）から少なくとも第１帯域幅部分（ＢＷＰ＃０）および第２帯域幅部分（ＢＷＰ＃１）で通信する移動端末（１００）の能力に関する情報を含むハンドオーバ要求メッセージを受信するステップと、
前記ハンドオーバ要求メッセージの受信時に、前記移動端末（１００）のために少なくとも前記第１帯域幅部分（ＢＷＰ＃０）および前記第２帯域幅部分（ＢＷＰ＃１）を構成し、前記ソース基地局（２００−ａ）にハンドオーバ要求応答確認メッセージを送信するステップであって、前記ハンドオーバ要求応答確認メッセージは、前記構成された少なくとも第１帯域幅部分（ＢＷＰ＃０）および第２帯域幅部分（ＢＷＰ＃１）に関する情報を含む、ステップと、
を含む、方法。
【発明の詳細な説明】
【技術分野】
【０００１】
本開示は、ワイヤレス通信システムにおいてソース基地局からターゲット基地局へのハンドオーバ手順を行う移動端末に関する。
【背景技術】
【０００２】
現在、第３世代パートナーシッププロジェクト（３ＧＰＰ：ｔｈｅ  ３ｒｄ  Ｇｅｎｅｒａｔｉｏｎ  Ｐａｒｔｎｅｒｓｈｉｐ  Ｐｒｏｊｅｃｔ）は、次世代のセルラー技術（第５世代（５Ｇ）とも称される）の技術仕様の次のリリース（リリース１５）に重点的に取り組んでいる。
【０００３】
３ＧＰＰの技術仕様グループ（ＴＳＧ：Ｔｅｃｈｎｉｃａｌ  Ｓｐｅｃｉｆｉｃａｔｉｏｎ  Ｇｒｏｕｐ）の無線アクセスネットワーク（ＲＡＮ：Ｒａｄｉｏ  Ａｃｃｅｓｓ  ｎｅｔｗｏｒｋ）会合＃７１（２０１６年３月、Ｇｏｔｈｅｎｂｕｒｇ）において、ＲＡＮ１、ＲＡＮ２、ＲＡＮ３、およびＲＡＮ４が関与する、５Ｇの最初の検討項目「Ｓｔｕｄｙ  ｏｎ  Ｎｅｗ  Ｒａｄｉｏ  Ａｃｃｅｓｓ  Ｔｅｃｈｎｏｌｏｇｙ（新しい無線アクセス技術に関する検討）」が承認され、この検討は５Ｇの最初の標準規格を定義するリリース１５の作業項目（ＷＩ：ｗｏｒｋ  ｉｔｅｍ）の基礎を築いている。
【０００４】
５Ｇ新無線（ＮＲ：ｎｅｗ  ｒａｄｉｏ）は、非特許文献１（ｗｗｗ．３ｇｐｐ．ｏｒｇで入手可能）に定義されているすべての使用シナリオ、要件、および配置シナリオに対処し、少なくとも、高度モバイルブロードバンド（ｅＭＢＢ：ｅｎｈａｎｃｅｄ  ｍｏｂｉｌｅ  ｂｒｏａｄｂａｎｄ）、超高信頼・低遅延通信（ＵＲＬＬＣ：ｕｌｔｒａ−ｒｅｌｉａｂｌｅ  ｌｏｗ−ｌａｔｅｎｃｙ  ｃｏｍｍｕｎｉｃａｔｉｏｎｓ）、大規模マシンタイプ通信（ｍＭＴＣ：ｍａｓｓｉｖｅ  ｍａｃｈｉｎｅ  ｔｙｐｅ  ｃｏｍｍｕｎｉｃａｔｉｏｎ）を含む、単一の技術的枠組みを提供する。
【０００５】
例えば、ｅＭＢＢの配置シナリオには、屋内のホットスポット、密集都市部、郊外、都市部、および高速が含まれうる。ＵＲＬＬＣの配置シナリオには、産業制御システム、モバイル健康管理（遠隔モニタリング、診断、および治療）、車両のリアルタイム制御、スマートグリッドの広域監視・制御システムが含まれうる。ｍＭＴＣには、スマートウェアラブルやセンサネットワークなど遅延の影響が小さいデータ伝送による多数の装置を使用するシナリオが含まれうる。
【０００６】
５Ｇでは、将来のユースケース／配置シナリオを見込んだ前方互換性も提供される。Ｌｏｎｇ  Ｔｅｒｍ  Ｅｖｏｌｕｔｉｏｎ（ＬＴＥ）への後方互換性は要求されず、これにより完全に新しいシステム設計および／または新規な特徴の導入が促進される。
【０００７】
ＮＲ（新無線）の検討項目の技術報告書の１つ（非特許文献２）に要約されているように、物理レイヤの基本的な信号波形は、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）に基づく。ダウンリンクおよびアップリンクの両方において、サイクリックプレフィックスを使用するＯＦＤＭ（ＣＰ−ＯＦＤＭ）をベースとする波形がサポートされる。少なくとも、４０ＧＨｚまでのｅＭＢＢのアップリンクでは、ＣＰ−ＯＦＤＭ波形の補助として、離散フーリエ変換（ＤＦＴ：Ｄｉｓｃｒｅｔｅ  Ｆｏｕｒｉｅｒ  Ｔｒａｎｓｆｏｒｍａｔｉｏｎ）拡散ＯＦＤＭ（ＤＦＴ−Ｓ−ＯＦＤＭ）をベースとする波形もサポートされる。
【０００８】
ＮＲの設計目標の１つは、進行中のトラフィックがある場合にはその中断を最小化し、同時にユーザ機器の電力消費を増加させずに、ユーザのモビリティを向上させることである。ＲＡＮ＃７８では、ＩＭＴ−２０２０の０ｍｓのハンドオーバ中断時間に関する要件が、Ｒｅｌ−１５の時間フレームの中でＬＴＥおよびＮＲでどのように対応されうるかを調査することがＲＡＮ２の課題とされた。最初のステップでは、ＬＴＥにおけるハンドオーバ手順がＮＲのベースライン設計として議論されている。ＮＲのモビリティ向上のためにどのような機能性が追加または修正される必要があるかに関し、３ｇｐｐワーキンググループにおいて議論が進行中である。
【０００９】
用語「ダウンリンク」は、上位のノードから下位のノードへの（例えば、基地局から中継ノード、基地局からＵＥ、中継ノードからＵＥ、など）通信を意味する。用語「アップリンク」は、下位のノードから上位のノードへの（例えば、ＵＥから中継ノード、ＵＥから基地局、中継ノードから基地局、など）通信を意味する。用語「サイドリンク」は、同じレベルのノード間の通信（例えば、２基のＵＥ間、２基の中継ノード間、または２基の基地局間）を意味する。
【先行技術文献】
【非特許文献】
【００１０】
【非特許文献１】３ＧＰＰ  ＴＳＧ  ＲＡＮ  ＴＲ  ３８．９１３  ｖ１４．１．０，“Ｓｔｕｄｙ  ｏｎ  Ｓｃｅｎａｒｉｏｓ  ａｎｄ  Ｒｅｑｕｉｒｅｍｅｎｔｓ  ｆｏｒ  Ｎｅｘｔ  Ｇｅｎｅｒａｔｉｏｎ  Ａｃｃｅｓｓ  Ｔｅｃｈｎｏｌｏｇｉｅｓ”，Ｄｅｃ．２０１６
【非特許文献２】３ＧＰＰ  ＴＳＧ  ＴＲ  ３８．８０１  ｖ２．０．０，“Ｓｔｕｄｙ  ｏｎ  Ｎｅｗ  Ｒａｄｉｏ  Ａｃｃｅｓｓ  Ｔｅｃｈｎｏｌｏｇｙ；Ｒａｄｉｏ  Ａｃｃｅｓｓ  Ａｒｃｈｉｔｅｃｔｕｒｅ  ａｎｄ  Ｉｎｔｅｒｆａｃｅｓ”，Ｍａｒｃｈ  ２０１７
【発明の概要】
【課題を解決するための手段】
【００１１】
一つの非限定的な例示的実施形態は、移動端末がソース基地局からターゲット基地局へのハンドオーバをより迅速に行うことを可能にする。ターゲット基地局が既にハンドオーバ中に移動端末のために複数の帯域幅部分を構成し、同じ構成を移動端末にシグナリングすれば、移動端末はハンドオーバ中に適切な帯域幅部分の構成でターゲット基地局との通信を即座に（再び）開始しうる。ハンドオーバ後には、追加の再構成の試みが回避されうる。
【００１２】
一実施形態では、本明細書に開示される技術は、移動通信システムにおいてソース基地局からターゲット基地局へのハンドオーバ手順を行うための移動端末を特徴とする。ターゲット基地局は、移動端末のためにそのセル帯域幅内の少なくとも第１帯域幅部分および異なる第２帯域幅部分で構成される。移動端末は、動作時にソース基地局から構成された少なくとも第１帯域幅部分および第２帯域幅部分に関する情報を含むハンドオーバコマンドメッセージを受信するトランシーバと、動作時およびハンドオーバコマンドメッセージの受信時に、トランシーバにおいて、構成された少なくとも第１帯域幅部分または第２帯域幅部分のうちの少なくとも予め選択された１つをアクティブ化し、構成された少なくとも第１帯域幅部分または第２帯域幅部分のうちのアクティブ化された少なくとも１つでハンドオーバ手順の一部としてターゲット基地局との通信を行うようにトランシーバを制御する、プロセッサなどの処理回路と、を含む。
【００１３】
別の一般的な態様では、本明細書に開示される技術は、移動通信システムにおいてソース基地局からターゲット基地局へのハンドオーバ手順を行うための移動端末を特徴とする。ターゲット基地局は、移動端末のためにそのセル帯域幅内の少なくとも第１帯域幅部分および異なる第２帯域幅部分で構成される。移動端末は、動作時にソース基地局から構成された少なくとも第１帯域幅部分および第２帯域幅部分に関する情報を含むハンドオーバコマンドメッセージを受信するトランシーバと、動作時およびハンドオーバコマンドメッセージの受信時に、トランシーバにおいて、構成された少なくとも第１帯域幅部分または第２帯域幅部分のうちの少なくとも１つを選択およびアクティブ化し、構成された少なくとも第１帯域幅部分または第２帯域幅部分のうちの選択およびアクティブ化された少なくとも１つでハンドオーバ手順の一部としてターゲット基地局との通信を行うようにトランシーバを制御する、プロセッサと、を含む。
【００１４】
さらなる一般的な態様では、本明細書に開示される技術は、移動通信システムにおいてソース基地局からの移動端末のハンドオーバ手順を行うためのターゲット基地局を特徴とする。ターゲット基地局は、そのセル帯域幅内の少なくとも第１帯域幅部分および異なる第２帯域幅部分のそれぞれで移動端末と通信することができる。ターゲット基地局は、動作時にソース基地局から少なくとも第１帯域幅部分および第２帯域幅部分で通信する移動端末の能力に関する情報を含むハンドオーバ要求メッセージを受信するトランシーバと、動作時およびハンドオーバ要求メッセージの受信時に、移動端末のために少なくとも第１帯域幅部分および第２帯域幅部分を構成するようにトランシーバを制御し、ソース基地局にハンドオーバ要求応答確認メッセージを送信するようにトランシーバを制御するプロセッサであって、ハンドオーバ要求応答確認メッセージは、構成された少なくとも第１帯域幅部分および第２帯域幅部分に関する情報を含む、プロセッサと、を含む。
【００１５】
さらに別の一般的な態様では、本明細書に開示される技術は、移動通信システムにおいてソース基地局からターゲット基地局への移動端末のハンドオーバ手順を行うための方法を特徴とする。ターゲット基地局は、移動端末のためにそのセル帯域幅内の少なくとも第１帯域幅部分および異なる第２帯域幅部分で構成される。この方法は、ソース基地局から、構成された少なくとも第１帯域幅部分および第２帯域幅部分に関する情報を含むハンドオーバコマンドメッセージを受信するステップと、ハンドオーバコマンドメッセージの受信時に、構成された少なくとも第１帯域幅部分または第２帯域幅部分のうちの少なくとも予め選択された１つをアクティブ化し、構成された少なくとも第１帯域幅部分または第２帯域幅部分のうちのアクティブ化された少なくとも１つでハンドオーバ手順の一部としてターゲット基地局と通信するステップと、を含む。
【００１６】
さらなる一般的な態様では、本明細書に開示される技術は、移動通信システムにおいてソース基地局からターゲット基地局への移動端末のハンドオーバ手順を行うための別の方法を特徴とする。ターゲット基地局は、移動端末のためにそのセル帯域幅内の少なくとも第１帯域幅部分および異なる第２帯域幅部分で構成される。この方法は、ソース基地局から、構成された少なくとも第１帯域幅部分および第２帯域幅部分に関する情報を含むハンドオーバコマンドメッセージを受信するステップと、ハンドオーバコマンドメッセージの受信時に、構成された少なくとも第１帯域幅部分または第２帯域幅部分のうちの少なくとも１つを選択およびアクティブ化し、構成された少なくとも第１帯域幅部分または第２帯域幅部分のうちの選択およびアクティブ化された少なくとも１つでハンドオーバ手順の一部としてターゲット基地局と通信するステップと、を含む。
【００１７】
さらに別の一般的な態様では、本明細書に開示される技術は、移動通信システムにおいてターゲット基地局がソース基地局からの移動端末のハンドオーバ手順を行うためのさらなる方法を特徴とする。ターゲット基地局は、そのセル帯域幅内の少なくとも第１帯域幅部分および異なる第２帯域幅部分のそれぞれで移動端末と通信することができる。この方法は、ソース基地局から少なくとも第１帯域幅部分および第２帯域幅部分で通信する移動端末の能力に関する情報を含むハンドオーバ要求メッセージを受信するステップと、ハンドオーバ要求メッセージの受信時に、移動端末のために少なくとも第１帯域幅部分および第２帯域幅部分を構成し、ソース基地局にハンドオーバ要求応答確認メッセージを送信するステップであって、ハンドオーバ要求応答確認メッセージは、構成された少なくとも第１帯域幅部分および第２帯域幅部分に関する情報を含む、ステップと、を含む。
【００１８】
なお、一般的な実施形態または特定の実施形態は、システム、方法、集積回路、コンピュータプログラム、記憶媒体、またはこれらの任意の選択的な組合せとして、実施できることに留意されたい。
【００１９】
開示されている実施形態のさらなる恩恵および利点は、本明細書および図面から明らかになるであろう。これらの恩恵および／または利点は、本明細書および図面のさまざまな実施形態および特徴によって個別に得ることができ、ただしこのような恩恵および／または利点の１つまたは複数を得るために、これらの特徴すべてを設ける必要はない。
【図面の簡単な説明】
【００２０】
【図１Ａ】例示的なハンドオーバ手順のシーケンス図を示す。
【図１Ｂ】時間に対する帯域幅調整を説明するシナリオを示す。
【図２Ａ】ハンドオーバの前および後のソースセルおよびターゲットセルにおける帯域幅部分の構成を含む例示的なシナリオを示す。
【図２Ｂ】ハンドオーバの前および後のソースセルおよびターゲットセルにおける帯域幅部分の構成を含む例示的なシナリオを示す。
【図３】移動端末、ソース基地局およびターゲット基地局の構造を示すブロック図である。
【図４】３ＧＰＰ  ＮＲ配置シナリオにおける第１実施形態の例示的な実装によるハンドオーバ手順のシーケンス図を示す。
【図５】３ＧＰＰ  ＮＲ配置シナリオにおける第１実施形態の異なる例示的な実装によるハンドオーバ手順のシーケンス図を示す。
【図６】３ＧＰＰ  ＮＲ配置シナリオにおける第２実施形態の例示的な実装によるハンドオーバ手順のシーケンス図を示す。
【図７】図６によるハンドオーバ手順のためのアソシエーションテーブルを示す。
【図８】３ＧＰＰ  ＮＲ配置シナリオにおける第２実施形態の異なる例示的な実装によるハンドオーバ手順のシーケンス図を示す。
【図９】図８によるハンドオーバ手順のための別のアソシエーションテーブルを示す。
【発明を実施するための形態】
【００２１】
３ＧＰＰ  ＮＲでは、新たな特徴として帯域幅部分（ＢＷＰ：ｂａｎｄｗｉｄｔｈ  ｐａｒｔ）動作が導入される。隣接する物理リソースブロック（ＰＲＢ：ｐｈｙｓｉｃａｌ  ｒｅｓｏｕｒｃｅ  ｂｌｏｃｋ）のグループのＢＷＰは、セルの動作帯域幅内のＵＥの動作帯域幅を定義する。さらに、ＢＷＰの帯域幅は、ＵＥによりサポートされる最大帯域幅能力以下である。
【００２２】
各ＵＥ固有のサービングセルで、ＵＥのための専用無線リソース制御ＲＲＣシグナリングにより１つまたは複数のダウンリンクＢＷＰおよび１つまたは複数のアップリンクＢＷＰが構成されうる。ＢＷＰの構成は、ヌメロロジ、周波数位置（例えば中心周波数）、および帯域幅（例えばＰＲＢの数）の特性を含み得、ヌメロロジは、サブキャリア間隔およびサイクリックプレフィックスを意味する。
【００２３】
しかしながら、Ｒｅｌｅａｓｅ−１５では、ＵＥにとってサービングセルに対して所与の時間に最大で１つのアクティブなダウンリンクＢＷＰがあり、最大で１つのアクティブなアップリンクＢＷＰがある。ＵＥは、アクティブなＢＷＰを介したｇＮＢへの／からの通信しか期待しない、すなわちＵＥはアクティブなダウンリンクＢＷＰだけでＰＤＣＣＨおよび考えられるＰＤＳＣＨを監視し得、アクティブなアップリンクＢＷＰだけでＰＵＳＣＨ／ＰＵＣＣＨを送信しうる。
【００２４】
ＮＲは、単一のスケジューリングＤＣＩ（ダウンリンク制御情報）がＵＥのアクティブなＢＷＰをＵＥのために構成されているＢＷＰの中であるものから別のものに切り替えられるケースをサポートする。これは（動的）ＢＷＰ調整と呼ばれる。
【００２５】
帯域幅調整は、新無線ＮＲおよび次世代ＮＧ無線アクセスネットワークＲＡＮの３ＧＰＰ技術仕様（３ＧＰＰ  ＴＳＧ  ＴＳ  ３８．３００  Ｖ．２．０．０，“ＮＲ；ＮＲ  ａｎｄ  ＮＧ−ＲＡＮ  Ｏｖｅｒａｌｌ  Ｄｅｓｃｒｉｐｔｉｏｎ”，Ｄｅｃｅｍｂｅｒ  ２０１７）において以下のように説明される。
【００２６】
帯域幅調整（ＢＡ：Ｂａｎｄｗｉｄｔｈ  Ａｄａｐｔａｔｉｏｎ）では、ＵＥの受信および送信帯域幅はセルの帯域幅ほど大きい必要はなく、調節されることができ、幅は変化する（例えば低アクティビティの期間中に電力を節約するために縮小する）ように注文されることができ、位置は（例えばスケジューリングの柔軟性を高めるために）周波数領域において移動することができ、サブキャリア間隔は（例えばさまざまなサービスを許容するために）変化するように注文されることができる。セルの全セル帯域幅のサブセットが帯域幅部分（ＢＷＰ）と呼ばれ、ＵＥをＢＷＰで構成し、ＵＥに構成されたＢＷＰのうちのいずれが現在アクティブなＢＷＰであるかを教えることによりＢＡが達成される。
【００２７】
図１Ｂに示されるように、同じまたは異なる中心周波数、異なる（帯域）幅および／または異なるサブキャリア間隔をそれぞれもつ３つの異なるＢＷＰ
−  ４０ＭＨｚの幅および１５ｋＨｚのサブキャリア間隔のＢＷＰ１、
−  １０ＭＨｚの幅および１５ｋＨｚのサブキャリア間隔のＢＷＰ２、および
−  ２０ＭＨｚの幅および６０ｋＨｚのサブキャリア間隔のＢＷＰ３
が構成されるシナリオを考えることが可能である。
【００２８】
ネットワーク制御モビリティの一般的な説明が、新無線ＮＲおよび次世代ＮＧ無線アクセスネットワークＲＡＮの３ＧＰＰ技術仕様（３ＧＰＰ  ＴＳＧ  ＴＳ  ３８．３００  Ｖ．２．０．０，“ＮＲ；ＮＲ  ａｎｄ  ＮＧ−ＲＡＮ  Ｏｖｅｒａｌｌ  Ｄｅｓｃｒｉｐｔｉｏｎ”，Ｄｅｃｅｍｂｅｒ  ２０１７）に記載されている。ネットワーク制御モビリティは、ＲＲＣ＿ＣＯＮＮＥＣＴＥＤのＵＥに適用され、セルレベルのモビリティおよびビームレベルのモビリティの２つのタイプのモビリティに分類される。
【００２９】
セルレベルのモビリティは、例えばハンドオーバなど、明示的なＲＲＣシグナリングがトリガされること必要とする。ｇＮＢ間ハンドオーバでは、シグナリング手順は、一貫性の理由から本明細書において図１Ａとして再現される、図９．２．３．１−１に示される少なくとも以下の要素コンポーネントを含む。それとは別に、ビームレベルのモビリティは、明示的なＲＲＣシグナリングがトリガされる必要がなく、下位レイヤで処理され、ＲＲＣが所与の時点でどのビームが使用されているかを知る必要はない。
【００３０】
図１Ａに示すように、ＲＲＣ駆動型モビリティは、セルレベルのモビリティ、例えばハンドオーバを担う。ハンドオーバシグナリング手順は、Ｒｅｌ−１３のＬＴＥと同じ原則を採用する。ｇＮＢ間ハンドオーバでは、シグナリング手順は、少なくとも以下の要素コンポーネントからなる。
【００３１】
１．ソースｇＮＢがハンドオーバを開始し、Ｘｎインタフェースを介してハンドオーバ要求を発出する。
【００３２】
２．ターゲットｇＮＢは、アドミッション制御を行い、ハンドオーバ応答確認の一部としてＲＲＣ構成を提供する。
【００３３】
３．ソースｇＮＢは、ハンドオーバコマンドにおいてＵＥにＲＲＣ構成を提供する。ハンドオーバコマンドメッセージは、少なくともセルＩＤと、ターゲットセルにアクセスするために必要な情報とを含み、その結果ＵＥはシステム情報を読まずにターゲットセルにアクセスすることができる。場合によっては、コンテンションベースおよびコンテンションフリーのランダムアクセスに必要な情報が、ハンドオーバコマンドメッセージに含まれうる。ターゲットセルへのアクセス情報は、もしあればビーム固有情報を含みうる。
【００３４】
４．ＵＥはＲＲＣ接続をターゲットｇＮＢに移動し、ハンドオーバ完了を返信する。
【００３５】
ＲＲＣによってトリガされるハンドオーバメカニズムは、ＵＥが少なくともＭＡＣエンティティをリセットし、ＲＬＣを再確立することを必要とする。ＰＤＣＰエンティティの再確立がある場合とない場合のＲＲＣ管理ハンドオーバの両方がサポートされる。ＲＬＣ  ＡＭモードを使用するＤＲＢでは、ＰＤＣＰはセキュリティキーの変更とともに再確立されるかまたはキーの変更なしでデータ回復手順を開始しうる。ＲＬＣ  ＵＭモードを使用するＤＲＢおよびＳＲＢでは、ＰＤＣＰはセキュリティキーの変更とともに再確立されるかまたはキーの変更なしでそのままでありうる。
【００３６】
ターゲットｇＮＢがソースｇＮＢと同じＤＲＢ構成およびＱｏＳフローからＤＲＢへのマッピングを使用するときには、ハンドオーバ時のデータ転送、順次配信、および重複回避が促進されうる。ＮＲにおいて、タイマベースのハンドオーバ失敗手順がサポートされる。ハンドオーバ失敗からの回復のために、ＲＲＣ接続再確立手順が使用される。
【００３７】
図１Ａに示される要素コンポーネントは、ｇＮＢ間ハンドオーバを特徴付けるだけでなく、ＮＲ  ＲＡＮ内ハンドオーバの一部でもあることに言及しなければならない。簡潔のため、ＡＭＦ／ＵＰＦ内ハンドオーバの特定の態様を開示する図９．２．３．２．１−１を参照する。この図では、ハンドオーバ要求はメッセージ３の中にあり、ハンドオーバ（要求）応答確認はメッセージ５の中にあり、ハンドオーバコマンドは通信６の一部であり、ハンドオーバ完了は通信８の一部である。
【００３８】
現在知られているハンドオーバの要素コンポーネントは、帯域幅調整の概念をサポートしていないことが重要である。これらの欠点を認識して、本開示は、ハンドオーバ手順を改善することを目指す。
【００３９】
非限定的な例示的実施形態は、移動端末がソース基地局からターゲット基地局へのハンドオーバをより迅速に行うことを促進し、進行中のデータ送信（あれば）の中断を最小化し、移動端末の電力消費の増加を回避する。
【００４０】
ターゲット基地局が既にハンドオーバ中に移動端末のために複数の帯域幅部分を構成し、同じ構成を移動端末にシグナリングすれば、移動端末はハンドオーバ中に適切な帯域幅部分の構成でターゲット基地局との通信を即座に（再び）開始しうる。ハンドオーバ後には、追加の再構成または帯域幅部分調整の試みが必要なくなりうる。
【００４１】
ｇＮＢ間メッセージ交換のためのＸｎインタフェースは、本開示の例証の目的で選ばれていることに言及しなければならない。これは本開示の制限と見なされてはならず、本開示は、本開示で言及される帯域幅部分の使用に関する情報がｇＮＢとコアネットワークとの間のインタフェースを介して交換されるＡＭＦ／ＵＰＦ間ハンドオーバのケースに直接適用されうる。
【００４２】
本開示によって提供される利点についてのより包括的な議論のために、２つの異なるシナリオをさらに詳細に説明する。この説明から、ハンドオーバ時の帯域幅調整を考慮したときに達成されうるさらなる相乗効果があることが明らかになるであろう。
【００４３】
図２Ａを参照すると、移動端末が、例えばハンドオーバの前または後で、ソースセルおよびターゲットセルにおいて複数の帯域幅部分で構成される例示的なシナリオが示される。
【００４４】
この例示的なシナリオは、移動端末がソース基地局から（特にソース基地局によってサービスされるソースセルから）ターゲット基地局（特にターゲット基地局によってサービスされるターゲットセル）へのハンドオーバを行う状況を示す。ソースセルおよびターゲットセルの両方において、移動端末は、複数の帯域幅部分、例えば対応するインデックス＃０および＃１の第１および第２帯域幅部分で構成される。
【００４５】
特に、ソースセルおよびターゲットセルで、例えば周波数領域のキャリア帯域幅の同期信号ＳＳブロックに関して第１帯域幅部分（インデックス＃０のＢＷＰと呼ばれる）および第２帯域幅部分（インデックス＃１のＢＷＰと呼ばれる）の構成（例えば位置および帯域幅）が示される。指示された第１および第２帯域幅部分は、ＳＳブロックによっても占有される同じキャリア帯域幅に含まれるため、それらはいずれも移動端末のダウンリンク帯域幅部分に対応する。しかしながら、さらなる説明は、アップリンク帯域幅部分にも等しく当てはまり、そのため具体的な区別は簡潔のために省略されている。
【００４６】
ソースセルでは、第１および第２帯域幅部分はいずれも１つの（例えば下側の）ＳＳブロックと（周波数領域で）中央揃えで構成され、ターゲットセルでは、第１および第２帯域幅部分はいずれも別の（例えば上側の）ＳＳブロックと（周波数領域で）中央揃えで構成される。言い換えれば、この例示的なシナリオでは、複数の帯域幅部分は、キャリア周波数の異なる部分に位置する。
【００４７】
したがって、移動端末は、ソースセルからターゲットセルへのハンドオーバを行うようにトリガされたときに、キャリア帯域幅の異なる部分から無線リソースを受信する。これは、ターゲットセルにおける負荷分散の目的のために有益である。
【００４８】
しかしながら、移動端末における受信動作の調整は、それぞれの帯域幅部分が位置する異なる中心周波数への（再）チューニング、および帯域幅部分の対応する（帯域）幅へのフィルタリング帯域幅の調節を含む。
【００４９】
図２Ｂを参照すると、移動端末が例えばハンドオーバの前および後でソースセルおよびターゲットセルにおいて複数の帯域幅部分で（再び）構成される別の例示的なシナリオが示される。
【００５０】
ここでは、ソースセルでもターゲットセルでも、第１および第２帯域幅部分は、１つまたは別のＳＳブロックと（周波数領域で）中央揃えで構成されなくなっており、代わりにキャリア帯域幅にわたってより柔軟に分散されている。移動端末は、ソースセルおよびターゲットセルの同じ位置にある同じ（帯域）幅（例えば物理リソースブロックＰＲＢの数）の第１帯域幅部分で構成されているのが重要である。
【００５１】
したがって、移動端末は、ソースセルの第１帯域幅部分（ＢＷＰ＃０）からターゲットセルの第１帯域幅部分（ＢＷＰ＃０）へのハンドオーバを行うようにトリガされたときには、キャリア帯域幅の異なる部分から無線リソースを受信しなくてよい。代わりに、移動端末での受信動作は同じままでよい。
【００５２】
この他の例示的なシナリオは、（再）チューニングおよびフィルタ調整が実行されることを必要としないため、ハンドオーバ中の周波数の再チューニングによる進行中のトラフィックの中断が回避される。
【００５３】
しかしながら、この他の例示的なシナリオでは、移動端末は、ソースセルおよびターゲットセルにおいてそれぞれの第１帯域幅部分（ＢＷＰ＃０）と（周波数領域で）中央揃えされていない第２帯域幅部分（ＢＷＰ＃１）で構成されることは言うまでもないであろう。異なる帯域幅部分の間で変更する際には、移動端末は、キャリア帯域幅の異なる部分から無線リソースを受信する。
【００５４】
言い換えれば、ソースセルおよびターゲットセルの各々内の第１帯域幅部分と第２帯域幅部分との間での変更には、（再）チューニングおよびフィルタ調整の両方が実行されることが必要になるため、変更が遅延する（レイテンシが増加する）。しかしながらこれは、移動端末がソースセルおよびターゲットセルの第２帯域幅部分（ＢＷＰ＃１）で利用できる帯域幅の増加により補償されうる。
【００５５】
要約すれば、２つの異なる例示的なシナリオが議論され、後者（図２Ｂに示す）は、少なくともソースセルおよびターゲットセルの第１帯域幅部分の間でのシームレスなハンドオーバを可能にするという利点があり、前者は、負荷分散を達成できる（図２Ａに示す）。
【００５６】
これらの検討事項は、ダウンリンク帯域幅部分に限定されず、ソースセルまたはターゲットセルのアップリンク帯域幅部分にも当てはまる。また、アップリンク帯域幅部分については、位置および幅が移動端末における送信動作にとって決定的である。移動端末は、異なる周波数リソースでアップリンク送信を実行することが必要でありうるが、それにも通常は（再）チューニングおよびフィルタ調整が必要である。
【００５７】
したがって、上述の利点／欠点は、ダウンリンク帯域幅部分にもアップリンク帯域幅部分にも等しく当てはまる。
【００５８】
図３は、移動端末１００（ユーザ機器、ＵＥとも呼ばれる）、ソース基地局２００−ａ（ソースｇノードＢ、ＧＮＢとも呼ばれる）、およびターゲット基地局２００−ｂ（ターゲットｇノードＢ、ｇＮＢとも呼ばれる）を含む移動通信システムのブロック図を示す。このブロック図は、ソース基地局２００−ａからターゲット基地局２００−ｂへのハンドオーバを行う状況の移動端末を示す目的を果たす。
【００５９】
一般に、ソース基地局２００−ａに移動端末１００のハンドオーバをトリガさせる複数のイベントが存在する。例えば、ソース基地局２００−ａは、移動端末１００のカバレッジが悪い状況によりハンドオーバをトリガしうる。カバレッジは、移動端末１００によって測定値の形で測定され、（その後）ソース基地局２００−ａに報告される。あるいは、ソース基地局２００−ａは、ソース基地局２００−ａにおける負荷分散の理由により、移動端末１００のハンドオーバをトリガすることもできる。
【００６０】
原因が何であるかにかかわらず、ソース基地局２００−ａのプロセッサ２３０−ａは、そのトランシーバ２２０−ａに、ハンドオーバ要求メッセージ（図１のメッセージ１を参照）をターゲット基地局２００−ｂへ送信させることにより、ターゲット基地局２００−ｂへのハンドオーバをトリガする。
【００６１】
このメッセージおよび他のメッセージは、基地局を互いに接続するワイヤレスまたはワイヤードインタフェースにより送られうる。例えば、ハンドオーバ要求メッセージは、次世代ＮＧ無線アクセスネットワークＲＡＮの一部として定義されるＸｎインタフェースにより、またはアクセスおよびモビリティ管理機能ＡＭＦおよび／またはユーザプレーン機能ＵＰＦを提供するエンティティを介して次世代ＮＧインタフェースにより送信されうる。ハンドオーバが異なる５Ｇコアネットワークを含む場合には、同じメッセージを異なるＡＭＦ／ＰＤＦエンティティ間で転送することも必要でありうる。
【００６２】
ターゲット基地局２００−ｂのトランシーバ２２０−ｂは、ソース基地局２００−ａからハンドオーバ要求メッセージを受信する。特に、このメッセージは、（とりわけ）アップリンクおよびダウンリンクで少なくとも二つの異なる帯域幅部分、例えば第１帯域幅部分ＢＷＰ＃０および第２帯域幅部分ＢＷＰ＃１で通信する移動端末１００の能力に関する情報を含む。この情報は、ターゲット基地局２００−ｂが移動端末１００のために構成することが期待される帯域幅部分の数を判断するのを助ける。
【００６３】
例のために、移動端末１００が複数ではなく１つの帯域幅部分でのみ通信できると仮定した場合、ターゲット基地局２００−ｂは、移動端末１００のために複数の帯域幅部分を構成することはしない。この可能性にかかわらず、本開示は、複数の帯域幅部分で通信でき、したがってターゲット基地局２００−ｂが移動端末のために複数の帯域幅部分のすべてを構成することを促進する移動端末１００に焦点を当てる。
【００６４】
帯域幅部分の能力についての上記の制限は、周波数分割複信ＦＤＤ動作モードにおけるアップリンクおよびダウンリンク、ならびに時分割複信ＴＤＤ動作モードにおけるアップリンクおよびダウンリンクに等しく当てはまるものとして理解されうる。
【００６５】
言い換えれば、移動端末がＦＤＤ動作モードにおいて１つの帯域幅部分で通信できると言われる場合には、これは、ダウンリンクの最大１つの帯域幅部分およびアップリンクの別個の１つの帯域幅部分をもつ構成を示唆するものと理解されうる。移動端末がＴＤＤ動作モードにおいて１つの帯域幅部分で通信できると言われる場合には、これは、（同じく）ダウンリンクの最大１つの帯域幅部分およびアップリンクの１つの帯域幅部分を（対として）もつジョイント構成を示唆するものと理解されうる。
【００６６】
この理由で、本開示は、用語「アップリンクおよびダウンリンク帯域幅部分」または「アップリンクおよびダウンリンク帯域幅部分対」にも等しく言及されうることを知りながら、用語「帯域幅部分」に言及して説明される。どちらのケースも、例えばアップリンクおよびダウンリンクで別個の帯域幅部分が必然的に構成されることを強調するにすぎない。したがって、ＦＤＤおよびＴＤＤ動作で、第１または第２アップリンクおよびダウンリンク帯域幅部分を同時に構成することが不可欠である。
【００６７】
ターゲット基地局２００−ｂが、移動端末１００がアップリンクおよびダウンリンクで少なくとも２つの、例えば第１および第２の帯域幅部分で通信できることを示すハンドオーバ要求メッセージを受信しているときには、プロセッサ２３０−ｂは、移動端末のために少なくとも第１帯域幅部分および第２帯域幅部分の両方を構成するようにトランシーバ２２０−ｂを制御する。
【００６８】
また、ターゲット基地局２００−ｂのプロセッサ２３０−ｂは、少なくともアップリンクおよびダウンリンクの構成された少なくとも第１および第２帯域幅部分の両方に関する情報を含むハンドオーバ（要求）応答確認メッセージ（図１のメッセージ２を参照）をソース基地局２００−ａに送信するようにトランシーバ２２０−ｂを制御する。
【００６９】
例えば、この情報には、アップリンクおよびダウンリンクの帯域幅部分のそれぞれの、位置（例えば中心周波数）、帯域幅（例えば物理リソースブロックＰＲＢの数）、サブキャリア間隔およびサイクリックプレフィックスを示すヌメロロジ、ならびにこの帯域幅と関連付けられたインデックスが含まれる。
【００７０】
情報には、位置の代わりに、ダウンリンク帯域幅部分の（所与の）位置からのオフセット、または既知の参照位置、例えばＤＬキャリア帯域幅の最初のＰＲＢからのオフセットを指定することにより、アップリンク帯域幅部分の位置を間接的に識別するオフセットが含まれてもよい。帯域幅部分の構成のためのいくつかのパラメータ、例えば位置および帯域幅は、構成の中で１つのパラメータになるように一緒に符号化されうることに言及することができる。
【００７１】
ここでも、このハンドオーバ（要求）応答確認メッセージは、基地局を相互に直接接続するＸｎインタフェース、または基地局をコアネットワークに接続するＮＧインタフェースを介して送信されうる。
【００７２】
次に、ソース基地局２００−ａは、このハンドオーバ（要求）応答確認メッセージからの情報を移動端末１００に転送する。この情報は、ハンドオーバコマンドメッセージ（図１のメッセージ３を参照）の形で伝達される。言い換えれば、少なくともターゲット基地局２００−ｂで構成された少なくとも第１帯域幅部分および第２帯域幅部分に関する情報が、移動端末１００へのハンドオーバコマンドメッセージに（も）含まれる。
【００７３】
移動端末１００のトランシーバ１２０が、（上述の）構成された帯域幅部分に関する情報をとりわけ含む、ソース基地局２００−ａからのハンドオーバコマンドメッセージを受信する。このハンドオーバコマンドメッセージを受信すると、プロセッサ１３０は、本開示において含まれる情報を以下で第１実施形態および第２実施形態として議論する２つの異なるメカニズムで処理しうる。
【００７４】
詳細とは別に、両方の実施形態において、移動端末１００のプロセッサ１３０は、この移動端末１００のために（特に）構成されている帯域幅部分のうちの１つをアクティブ化することに成功し、この構成された帯域幅部分で既にハンドオーバを行うことができることを理解することが重要である。したがって、移動通信システムは、例えばシステム情報メッセージを介してすべての移動端末にブロードキャストされる帯域幅部分の共通の構成でハンドオーバを行うことに限定されない。本開示の方法により、共通の構成された帯域幅部分における輻輳が回避されうる。
【００７５】
第１実施形態では、移動端末１００は、プロセッサ１３０がトランシーバ１２０においてアップリンクおよびダウンリンクの構成された少なくとも第１および第２帯域幅部分のうちの少なくとも１つの予め選択されたものをアクティブ化するように、ハンドオーバコマンドの情報を処理する。例えば、移動端末１００は、アップリンクの（正確に）１つの予め選択された帯域幅部分およびダウンリンクの１つの予め選択された帯域幅部分をアクティブ化する。しかしながら、これはいかなる点においても限定として理解されてはならない。むしろ、移動端末１００は、アップリンクおよびダウンリンクで２つ以上の予め選択された帯域幅部分をアクティブ化してもよい。将来、同時複数ヌメロロジ処理をサポートするために、移動端末がアップリンクおよびダウンリンクキャリア帯域幅で異なるヌメロロジの２つの帯域幅部分を同時にアクティブ化することが有益でありうる。したがって、移動端末１００は構成された帯域幅部分のうちの少なくとも予め選択された１つをアクティブ化すると言うことができる。
【００７６】
本開示の文脈において、用語「予め選択された」は、選択が移動端末自体によって行われないことを強調するものとして理解されるものとする。選択は、特定のインデックス（例えばインデックス＃０）の帯域幅部分、または初期帯域幅部分もしくはデフォルト帯域幅部分などの特別な帯域幅部分として仕様によって定義されることができ、選択はターゲット基地局によって行われ、その後、移動端末に指示される。
【００７７】
少なくとも１つの予め選択された帯域幅部分をアクティブ化すると、移動端末１００のプロセッサ１３０は、アクティブ化された少なくとも１つの予め選択された帯域幅部分でハンドオーバの一部としてターゲット基地局２００−ｂとの通信を行うようにトランシーバ１２０を制御する。
【００７８】
ターゲット基地局２００−ｂも、構成された少なくとも２つの帯域幅部分のうちのいずれが移動端末によりアクティブ化される予め選択された１つであるかを等しく知っているため、ターゲット基地局２００−ｂは、ハンドオーバ（要求）応答確認メッセージを送信した後に、移動端末がアクティブ化することが期待される同じ予め選択された少なくとも１つの帯域幅部分のアクティブ化も進めることができる。
【００７９】
第１実施形態では、移動端末１００に、構成された少なくとも２つの帯域幅部分に関する情報が提供される。この情報は、少なくとも２つの帯域幅部分のうちの１つ（だけ）が既に予め選択されているにもかかわらず、移動端末１００にシグナリングされる。ハンドオーバコマンドへのペイロード（が追加される）にもかかわらず、この情報は、ハンドオーバ時の柔軟性を有利に高める、すなわち（既に）ハンドオーバ時に構成された少なくとも２つの帯域幅部分の間の切り替えを可能にする。
【００８０】
反対に、第２実施形態では、移動端末１００は、プロセッサ１３０がトランシーバ１２０においてアップリンクおよびダウンリンクの少なくとも２つの構成された帯域幅部分のうちの少なくとも１つをまず（能動的に）選択し、その後アクティブ化するように、ハンドオーバコマンドの情報を処理する。例えば、ここでも、移動端末１００は、少なくとも２つの帯域幅部分のうちの（正確に）１つを選択およびアクティブ化する。
【００８１】
ここでも、これはいかなる点においても限定として理解されてはならない。むしろ、移動端末１００は、アップリンクおよびダウンリンクの少なくとも２つの構成された帯域幅部分のうちの２つ以上を選択およびアクティブ化してもよい。これは、例えば異なるヌメロロジの２つの隣接しない帯域幅部分を同時に選択およびアクティブ化する際に、複数のヌメロロジを同時に処理する、または利用可能な無線リソースの間の輻輳を緩和する目的にさらに再び役立つ。
【００８２】
アップリンクおよびダウンリンクの少なくとも２つの構成された帯域幅部分のうちの少なくとも１つを選択およびアクティブ化すると、移動端末１００のプロセッサ１３０は、選択およびアクティブ化された帯域幅部分でハンドオーバの一部としてターゲット基地局２００−ｂとの通信を行うようにトランシーバ１２０を制御する。
【００８３】
ここで、ターゲット基地局２００−ｂは、構成された少なくとも２つの帯域幅部分のうちのいずれが移動端末１００によって選択およびアクティブ化されているかを（正確に）知らない。それにもかかわらず、少なくとも２つの帯域幅部分の両方が（特に）移動端末のために選択およびアクティブ化されるために構成されているため、ターゲット基地局２００−ｂは、構成された少なくとも２つの帯域幅部分のすべてのアクティブ化を進め、移動端末と通信する最も初期の局面でこの不確実性を解消しうる。
【００８４】
その後、後の段階で、次に詳述するように、移動端末は、ＲＡＣＨリソースまたはＰＵＳＣＨリソース差別化の方法によって、第１のアクティブ化された帯域幅の選択をターゲット基地局に通知しうる。
【００８５】
その結果、ターゲット基地局２００−ｂは、移動端末１００とのさらなる通信から、構成された帯域幅部分のうちのいずれが実際に通信に使用されているかを検出しうる。これにより、ターゲット基地局２００−ｂは、移動端末が構成された帯域幅部分のうちのいずれを選択およびアクティブ化しているかの情報を（遡及的に）取得しうる。
【００８６】
ここでも、第２実施形態において、移動端末１００に、構成された少なくとも２つの帯域幅部分に関する情報が提供されることを認識することが重要である。この情報は、（後で詳述する他の情報と一緒に）移動端末１００にシグナリングされて、移動端末が選択を行い、その後選択をターゲット基地局に指示することを可能にする。
【００８７】
ハンドオーバコマンドへのペイロード（が追加される）にもかかわらず、この情報は、ハンドオーバ時の柔軟性を有利に高める、すなわち（既に）ハンドオーバ時に構成された少なくとも２つの帯域幅部分の間の切り替えを可能にする。
【００８８】
図４は、３ＧＰＰ  ＮＲ配置シナリオにおける第１実施形態の例示的な実装によるハンドオーバ手順のシーケンス図を示す。特に、ソースｇノードＢ、ｇＮＢからターゲットｇＮＢへのハンドオーバを行うときのユーザ機器ＵＥが示される。
【００８９】
ハンドオーバの準備において、ソースｇＮＢは、ハンドオーバ要求メッセージ（図４のメッセージ１を参照）をターゲットｇＮＢに送信する。ハンドオーバ要求メッセージは、通常、次世代ＮＧ無線アクセスネットワークＲＡＮのｇＮＢ間の通信を確立するＸｎインタフェースを介して送信される。このハンドオーバ要求メッセージは、ターゲットｇＮＢがＵＥのハンドオーバのために準備する、例えばアドミッション制御を行うために十分な詳細を提供する。
【００９０】
このハンドオーバ要求メッセージを介して、ターゲットｇＮＢは、アップリンクおよびダウンリンクで少なくとも２つの帯域幅部分で通信するＵＥの能力に関する情報を受信する。これにより、ターゲットｇＮＢは、例えばＵＥの能力に合う、ＵＥのために適切な数の帯域幅部分を構成することが可能になる。例えば、ＵＥが２つの、狭帯域幅部分および広帯域幅部分で通信できる場合には、ターゲットｇＮＢは、ＵＥのために同様に２つの帯域幅部分を首尾よく構成する。
【００９１】
アップリンクおよびダウンリンクで適切な数の帯域幅部分を構成すると、ターゲットｇＮＢは、その情報をハンドオーバ（要求）応答確認メッセージ（図４のメッセージ２を参照）に含める。このメッセージは、ターゲットｇＮＢからソースｇＮＢに送信される。ハンドオーバ（要求）応答確認メッセージも、通常、ｇＮＢ間のＸｎインタフェースが利用可能な場合にはＸｎインタフェースにより送信される。
【００９２】
続いて、ソースｇＮＢは、この情報をハンドオーバコマンドメッセージ（図４のメッセージ３を参照）においてＵＥに中継する。その結果、適切な数の構成された帯域幅部分に関する情報は、ＵＥによって受信される。３ＧＰＰ  ＮＲに関して議論されたように、ハンドオーバコマンドメッセージは、ＵＥがターゲットｇＮＢへのハンドオーバを行うための多数の詳細を含む。
【００９３】
（適切な数の）構成された帯域幅部分についての情報により、ＵＥは、ＵＥのためにＵＥ固有の様式で構成されている帯域幅部分を利用してターゲットｇＮＢへのハンドオーバを行える状況におかれるのが重要である。言い換えれば、ＵＥは、一度に多数のＵＥの間で共有される（共通の）初期帯域幅部分でハンドオーバを行うことに限定されない。
【００９４】
したがって、構成された帯域幅部分についての情報により、ハンドオーバ中の輻輳の影響が軽減されると同時に、この情報により、後の時点で帯域幅部分を構成する必要がなくなる。これらの利点は、限られた数のメッセージが交換される固定されたハンドオーバシーケンスにかかわらず達成される。
【００９５】
ＵＥは、ランダムアクセスチャネルＲＡＣＨベースのハンドオーバにおいて、（共通の）初期帯域幅部分のみに頼ることを必要とせずにＵＥ固有に構成された帯域幅部分でターゲットｇＮＢとランダムアクセスメッセージ送信を既に行いうるのが有利である。
【００９６】
特に、ＵＥ固有に構成された帯域幅部分により、ＲＡＣＨメッセージ１の輻輳がより少なくなり、ＲＡＣＨメッセージ２がより柔軟にスケジューリングされうる。
【００９７】
ＵＥは、ターゲットｇＮＢにハンドオーバ完了メッセージ（図４メッセージ４を参照）を送信することにより、ハンドオーバを終了する。
【００９８】
ＵＥのための帯域幅部分のさまざまな構成について詳述してきたが、複数の帯域幅部分のうちのいずれがアクティブ化されるかについての議論はこれまで行われていない。より多くの帯域幅をアクティブ化すれば電力消費も処理の複雑さも増加するため、ＵＥもターゲットｇＮＢも（恐らく）アップリンクのすべての構成された帯域幅部分およびダウンリンクの１つの帯域幅部分をアクティブ化することはないことから、これは重要な言及点である。これが理由で、Ｒｅｌｅａｓｅ−１５においては、ＮＲ移動端末は常に１つのダウンリンク帯域幅部分および１つのアップリンク帯域幅部分をアクティブ化することが合意されている。
【００９９】
したがって、ハンドオーバ中に、ＵＥおよびターゲットｇＮＢは、アップリンクの構成された帯域幅部分のうちの１つだけとダウンリンクの１つの帯域幅部分をアクティブ化する。したがって、ターゲットｇＮＢとＵＥとの間で、アップリンクおよびダウンリンクの両方で構成された２つの帯域幅部分のうちのいずれがアクティブ化されるべきかにつき、共通の理解を確立することが必要である。
【０１００】
この例示的な実装では、構成された帯域幅部分に関する情報の中から、アップリンクおよびダウンリンクにアクティブ化される（常に）１つの予め選択された帯域幅部分があると仮定される。
【０１０１】
例えば、構成された帯域幅部分に関する情報に特定のシーケンスがあると仮定した場合、ＵＥもターゲットｇＮＢも、特定のシーケンスの最初または最後の帯域幅部分を（常に）アクティブ化しうる。シーケンスに３つ以上の構成された帯域幅部分がある場合には、ＵＥもターゲットｇＮＢも、特定のシーケンスの別の帯域幅部分、例えば第２帯域幅部分、第３帯域幅部分などを（常に）アクティブ化することもできる。
【０１０２】
別の例として、予め選択された帯域幅部分は、なんらかの特別な帯域幅部分、例えば初期ＢＷＰまたはデフォルトＢＷＰとすることができる。ターゲットｇＮＢでそのような特別なＢＷＰの新たな構成を提供することにより、ターゲットセルの負荷分散も調整されうる。
【０１０３】
要約すると、構成された帯域幅部分に関する情報が特定のシーケンスで提供されるということだけで、ＵＥとターゲットｇＮＢとの間でこのシーケンスの中のいずれがアクティブ化されるべきかの共通の理解を確立するのに十分である。
【０１０４】
しかしながら、このために、構成された帯域幅部分に関する情報におけるシーケンスが、ハンドオーバ（要求）応答確認メッセージでもハンドオーバコマンドでも同じであることが必要である。言い換えれば、この情報を中継するソースｇＮＢは、ハンドオーバ（要求）応答確認メッセージからハンドオーバコマンドを生成する際に情報のシーケンスを保存する。
【０１０５】
この実装の例示的延長では、ハンドオーバ（要求）応答確認メッセージならびにハンドオーバコマンドは、ＲＡＣＨベースのハンドオーバ中に使用されるプリアンブルシーケンスまたは時間および周波数リソースなどのランダムアクセス送信パラメータも含む。
【０１０６】
含まれるランダムアクセス送信パラメータは、構成された帯域幅部分のうちの少なくとも予め選択された１つと関連付けられる必要があることが重要である。したがって、ＵＥは、アクティブ化されるべき予め選択された帯域幅部分と（特に）関連付けられたランダムアクセス送信パラメータを使用して、ランダムアクセスメッセージ送信（例えばＲＡＣＨメッセージ１）を行う。
【０１０７】
ランダムアクセス送信パラメータを構成された帯域幅部分のうちの予め選択された１つだけと関連付けて定義する自由により、ＲＡＣＨリソースの利用が向上されうる。このようなケースでは、ターゲットｇＮＢは、ハンドオーバを行うＵＥのために予め選択された帯域幅部分以外の他の構成された帯域幅部分に対応するＲＡＣＨリソースを予約する必要はない。その結果、ターゲットセル内の他のＵＥのために、より多くの空きＲＡＣＨリソースが利用可能になる。
【０１０８】
この実装のさらなる例示的延長では、ハンドオーバ要求メッセージは、ソースｇＮＢのアクティブ化された帯域幅部分の状態に関する情報をさらに含む。代わりにまたは加えて、ハンドオーバ要求メッセージは、ソースｇＮＢによって予測されるデータトラフィック情報、例えばハンドオーバ後に期待されるデータトラフィックに関する情報を含む。
【０１０９】
例えば、アクティブ化された帯域幅部分の状態は、例えば狭帯域または広帯域の記述子を含むか、またはハンドオーバの前にソースｇＮＢでアクティブ化された帯域幅部分の（例えば物理リソースブロックの）（帯域）幅への参照を含みうる。また、例えば、ソースｇＮＢによって予測されるトラフィック情報は、ダウンリンクのバッファ状態のバッファサイズレベルへのインデックスを含むか、またはハンドオーバの前のアップリンクのＵＥからのバッファ状態報告からの情報を含みうる。
【０１１０】
いずれのケースでも、ソースｇＮＢがこの情報をハンドオーバ要求メッセージにおいてターゲットｇＮＢに転送すると、ターゲットｇＮＢは、構成された帯域幅部分のいずれが構成された帯域幅部分のうちの予め選択された１つになるのに最適かを（能動的に）選択しうる。
【０１１１】
例えば、ＵＥのトラフィックデマンドが低いかまたはない場合には、ＵＥの電力が浪費されないように、ハンドオーバ中およびハンドオーバ後により狭い帯域幅部分をアクティブ化するほうがよいであろう。その一方で、ＵＥのトラフィックデマンドが高い場合には、ハンドオーバ中でも構成された帯域幅部分の中のより広い帯域幅部分をアクティブ化することが賢明な判断であろう。
【０１１２】
その後、ハンドオーバ後に、追加の帯域幅部分の切り替えを必要とせずに（したがって帯域幅部分の切り替えによって導入される遅延を回避して）、ＵＥのデータがより広い帯域幅部分で（フルキャパシティで）直ちにサービスされうる。
【０１１３】
ハンドオーバ中には、ＵＥとターゲット基地局との間で通信するための、例えばランダムアクセスを行うための、少量のトラフィックしか存在しないと言うことができる。したがって、ハンドオーバ中には、ＵＥはより狭い帯域幅部分で動作しうる。その後、ランダムアクセスが完了した後に、ターゲットｇＮＢは、ＤＣＩによって必要に応じて広いＢＷＰに切り替えることをＵＥに指示しうる。しかしながら、以下の欠点がみられる。
【０１１４】
−ＢＷＰ切り替え遷移時間はまだ議論中であるが、（１５ｋＨｚのＳＣＳの）少なくとも１つのスロットが必要とされる可能性が高い。したがって、ＢＷＰ切り替えＤＣＩがスロットｎで送信され、その後ＵＥがスロットｎ＋１でＢＷＰ切り替えを行う場合に（ヌルデータスケジューリングによるＢＷＰ切り替えＤＣＩはサポートされないため、ＵＥは、なお狭いＢＷＰにてスロットｎでＰＤＳＣＨを受信しなければならない）、ＵＥデータを広いＢＷＰにスケジューリングする最初の機会はスロットｎ＋２である。ＵＥトラフィックデマンドが高い場合には、データ配信のレイテンシが損なわれる。
【０１１５】
−さらに、チャネル状態情報（ＣＳＩ）も遅延する。ＣＳＩはアクティブなＢＷＰ内で測定されるため、広いＢＷＰがアクティブ化されるまで広いＢＷＰのＣＳＩは利用できない。したがって、スロットｎ＋２で広いＢＷＰがアクティブ化される上記の例では、ｇＮＢは、少なくともスロットｎ＋２に関して（およびＵＥが同じスロットでＣＳＩをフィードバックできなければ場合によってはスロットｎ＋３に関しても）保守的なスケジューリング判断を用いなければならず、その結果さらなるレイテンシが生じる。
【０１１６】
−ＵＥがＢＷＰ切り替えのためのＤＣＩを見逃すリスクがある。これは一般的なＤＣＩエラーケースに関係するが、ハンドオーバ中およびハンドオーバ後にＢＷＰを一貫して設定することにより不必要なＢＷＰ切り替えを回避する方が合理的である。
【０１１７】
この予め選択された帯域幅部分の選択をＵＥに伝達するために、ターゲットｇＮＢはその後、構成された帯域幅部分に関する情報を特定のシーケンスで（再）配置する。例えば、ターゲットｇＮＢは、構成された帯域幅部分のうちの最適な１つを、ハンドオーバ（要求）応答確認メッセージに含まれる特定のシーケンスの構成された帯域幅部分のうちの最初の帯域幅部分または最後の帯域幅部分になるように（再）配置しうる。そして、ＵＥが帯域幅部分の特定のシーケンスのうちの（常に）最初の帯域幅部分または最後の帯域幅部分を予め選択された帯域幅部分としてアクティブ化することが期待されるときには、ターゲットｇＮＢは、最適な帯域幅部分を（自動的に）アクティブ化する。
【０１１８】
図５は、３ＧＰＰ  ＮＲ配置シナリオにおける第１実施形態の異なる例示的な実装によるハンドオーバ手順のシーケンス図を示す。この異なる例示的な実装は、図４に示される前述の例示的な実装に密接に関係するため、以下の議論は、違いのみに焦点を当てる。
【０１１９】
以前と同様に、ここでも（適切な数の）構成された帯域幅部分についての情報により、ＵＥは、ＵＥのために構成されている帯域幅部分を利用してターゲットｇＮＢへのハンドオーバを行える状況におかれる。したがって、同じまたは類似の利点が実現される。
【０１２０】
上記とは異なり、ターゲットｇＮＢからソースｇＮＢへのハンドオーバ（要求）応答確認メッセージ（図５メッセージ２を参照）に追加で含まれ、ソースｇＮＢからＵＥへのハンドオーバコマンドメッセージ（図５メッセージ３を参照）に追加で含まれるインデックス（または帯域幅部分インデックス）が存在する。このインデックスは、アップリンクおよびダウンリンクで構成された帯域幅部分のうちのいずれがアクティブ化されるべきかを指示する。
【０１２１】
例えば、いずれのメッセージも、構成された帯域幅部分に関する情報の中からいずれがアクティブ化されるべきかを明確に指示するために、アップリンクおよびダウンリンクのためのインデックス、例えばＢＷＰ＃１を含みうる。したがって、インデックスにより、アクティブ化されるべき対応する帯域幅部分がターゲットｇＮＢによって予め選択されることもできる。
【０１２２】
両方のメッセージが、構成された第１および第２帯域幅部分に関する情報を含むことを考慮する。次に、情報が送信される第１または第２の構成された帯域幅部分を指示するインデックスにより、ＵＥは、２つの帯域幅部分のうちの対応する予め選択された１つをアクティブ化することが可能になる。
【０１２３】
これにより、構成された帯域幅部分に関する情報を特定のシーケンスで提供する必要がなくなり、情報は昇順で配置されることができ、例えばその結果、最初に（最も）狭い帯域幅部分、その後に（より）広い帯域幅部分が配置される。
【０１２４】
要求メッセージがソースｇＮＢにおいてアクティブ化された帯域幅部分の状態に関する情報またはソースｇＮＢによって予測されるデータトラフィックに関する情報、例えばハンドオーバの後に期待されるデータトラフィックの情報をさらに含むことはさらなる例示的拡張において同様である。
【０１２５】
いずれのケースでも、ソースｇＮＢがこの情報をハンドオーバ要求メッセージにおいてターゲットｇＮＢに転送すると、ターゲットｇＮＢは、ここでも構成された帯域幅部分のいずれが構成された帯域幅部分のうちの予め選択された１つになるのに最適かを（能動的に）選択しうる。この予め選択された帯域幅部分の選択をＵＥに伝達するために、ターゲットｇＮＢはその後、前述のように、メッセージに構成された帯域幅部分に関する情報に対応するインデックスを組み込む。
【０１２６】
図６は、３ＧＰＰ  ＮＲ配置シナリオにおける第２実施形態の例示的な実装によるハンドオーバ手順のシーケンス図を示す。特に、ソースｇＮＢからターゲットｇＮＢへのハンドオーバを行うときのユーザ機器ＵＥが示される。
【０１２７】
ハンドオーバの準備において、ソースｇＮＢは、ハンドオーバ要求メッセージ（図６のメッセージ１を参照）をターゲットｇＮＢに送信する。ハンドオーバ要求メッセージは、ここでも通常、次世代ＮＧ無線アクセスネットワークＲＡＮのｇＮＢ間の通信を確立するＸｎインタフェース（そのようなリンクが利用可能な場合には）で送信され、それ以外の場合には、メッセージはコアネットワークを介して送信される。このハンドオーバ要求メッセージは、ターゲットｇＮＢがＵＥのハンドオーバのために準備する、例えばアドミッション制御を行うために十分な詳細を提供する。
【０１２８】
このハンドオーバ要求メッセージを介して、ターゲットｇＮＢは、アップリンクおよびダウンリンクで少なくとも２つの帯域幅部分で通信するＵＥの能力に関する情報を受信する。これにより、ターゲットｇＮＢは、例えばＵＥの能力に合う、ＵＥのために適切な数の帯域幅部分を構成することが可能になる。例えば、ＵＥが２つの、狭帯域幅部分および広帯域幅部分で通信できる場合には、ターゲットｇＮＢは、ＵＥのために同様に２つの帯域幅部分を首尾よく構成する。
【０１２９】
アップリンクおよびダウンリンクで適切な数の帯域幅部分を構成すると、ターゲットｇＮＢは、その情報をハンドオーバ（要求）応答確認メッセージ（図６のメッセージ２を参照）に含める。このメッセージは、ターゲットｇＮＢからソースｇＮＢに送信される。ハンドオーバ（要求）応答確認メッセージも、通常、可能な場合にはＸｎインタフェースにより送信される。
【０１３０】
上記とは異なり、ターゲットｇＮＢは、ハンドオーバ（要求）応答確認メッセージに、構成された２つの帯域幅部分のそれぞれをさまざまなランダムアクセス送信パラメータと関連付けるアソシエーションテーブルも含める。
【０１３１】
このようなアソシエーションテーブルの例が図７に示される。この例は、アップリンクおよびダウンリンクで少なくとも２つの帯域幅部分が構成され、ＵＬ  ＢＷＰ＃０およびＵＬ  ＢＷＰ＃１またはＤＬ  ＢＷＰ＃０およびＤＬ  ＢＷＰ＃１とそれぞれ識別されるものと仮定する。３つのドットを含む余分の列により、さらなる構成された帯域幅部分が含まれる可能性が示唆される。
【０１３２】
このテーブルから、アップリンクならびにダウンリンクの構成された帯域幅部分のそれぞれが、異なる送信パラメータと関連付けられることが分かる。
【０１３３】
例えば、構成されたＵＬ  ＢＷＰ＃０はいくつかのランダムアクセス送信パラメータ、すなわちＲＡＣＨ＃０またはＲＡＣＨ＃２と関連付けられ、さらなる構成されたＵＬ  ＢＷＰ＃１はさまざまなランダムアクセス送信パラメータ、すなわちＲＡＣＨ＃１またはＲＡＣＨ＃３と関連付けられる。同じように、構成されたＤＬ  ＢＷＰ＃０およびＢＷＰ＃１も、さまざまなランダムアクセス送信パラメータと関連付けられる。
【０１３４】
アップリンクならびにダウンリンクの構成された帯域幅部分のそれぞれは、個別に（前述のように）さまざまなランダムアクセスパラメータと関連付けられるが、組合せてもさまざまなランダムアクセスパラメータと関連付けられることは言うまでもないであろう。
【０１３５】
言い換えれば、ここでは、アップリンクおよびダウンリンクの構成された帯域幅部分のそれぞれの組合せも、さまざまなランダムアクセス送信パラメータと関連付けられる。例えば、ＤＬ  ＢＷＰ＃０およびＵＬ  ＢＷＰ＃０の組合せはパラメータＲＡＣＨ＃０に関連付けられる一方で、ＤＬ  ＢＷＰ＃０およびＵＬ  ＢＷＰ＃１の異なる組合せはパラメータＲＡＣＨ＃１と関連付けられる。
【０１３６】
しかしながら、これは有益であるにもかかわらず、以下から明らかになるように、有利な効果を達成するために必須ではない。
【０１３７】
続いて、ソースｇＮＢは、この情報をハンドオーバコマンドメッセージ（図６のメッセージ３を参照）においてＵＥに中継する。その結果、適切な数の構成された帯域幅部分に関する情報は、ＵＥによって受信される。図４で説明されたケースと同様に、構成された帯域幅部分についての情報により、ハンドオーバ中の（共通の）初期帯域幅部分への輻輳の影響が軽減されると同時に、後の時点で帯域幅部分を構成する必要がなくなる。
【０１３８】
ソースｇＮＢは、ＵＥへのハンドオーバコマンドメッセージにおいてアソシエーションテーブルも中継する。このアソシエーションテーブルにより、ＵＥは、ランダムアクセスチャネル（ＲＡＣＨ）ベースのターゲットｇＮＢへのハンドオーバを行うことが可能になる。ターゲットｇＮＢがコンテンションベースまたはコンテンションフリーＲＡＣＨリソースをアソシエーションテーブルに入れると決定するか否かに応じて、コンテンションベースおよびコンテンションフリーのランダムアクセスの両方が行われうる。
【０１３９】
ＵＥは、ＲＡＣＨベースのハンドオーバにおいて、（共通の）初期帯域幅部分のみに頼ることを必要とせずに構成された帯域幅部分でターゲットｇＮＢとランダムアクセスメッセージ送信を行いうる。
【０１４０】
特に、構成された帯域幅部分により、アップリンクのＲＡＣＨメッセージ１の輻輳がより少なくなり、ダウンリンクでＲＡＣＨメッセージ２がより柔軟にスケジューリングされうる。
【０１４１】
ＵＥは、ターゲットｇＮＢにハンドオーバ完了メッセージ（図６メッセージ６を参照）を送信することにより、ハンドオーバを終了する。
【０１４２】
ＵＥのための帯域幅部分のさまざまな構成について詳述してきたが、ターゲットｇＮＢとＵＥとの間で、アップリンクおよびダウンリンクの両方で２つの構成された帯域幅部分のうちのいずれがアクティブ化されるべきかにつき、共通の理解を確立することも必要である。
【０１４３】
この例示的な実装では、ＵＥは、アクティブ化されるべき構成された帯域幅部分を（能動的に）選択すると仮定される。言い換えれば、ここではＵＥは、ターゲットｇＮＢによって実行されるいかなる予めの選択による制約も受けず、ターゲットｇＮＢから情報が中継される構成された帯域幅部分のうちのいずれかを（自由に）選択できる状況におかれる。
【０１４４】
ＵＥは通常、自らのアップリンクトラフィックについて知り、予測するのに最適であるのが有利である。ＵＥからソースｇＮＢにバッファ状態報告がシグナリングされるにもかかわらず、これはハンドオーバ中にターゲットｇＮＢで必ずしも説明されない。さらにバッファ状態報告は、バッファ状態が報告されてから、ＵＥによりハンドオーバコマンドが受信されるまでの時間ギャップにより古くなりうる。したがって、ＵＥがアクティブ化されるべき構成された帯域幅部分を（能動的に）選択することにより、少なくともアップリンクにおいて、アクティブ化がハンドオーバ中およびハンドオーバ後のＵＥのデマンドに最も適することが保証されうる。
【０１４５】
構成された帯域幅部分のうちの１つを選択すると、ＵＥは、まず選択された１つの帯域幅部分をアクティブ化し、次に、選択およびアクティブ化された１つの帯域幅部分と関連付けられたパラメータを使用してランダムアクセスメッセージ送信を行うことにより、ＲＡＣＨベースのハンドオーバを行う。
【０１４６】
ランダムアクセスメッセージ送信は、関連付けられたパラメータを使用するだけでなく、選択およびアクティブ化された帯域幅部分で実行される。したがって、送信のパラメータと、送信が実行される帯域幅部分との間に明確な関連付けが存在する。これにより、以下の利点が提供される。
【０１４７】
例えば、ＵＥがＵＬ  ＢＷＰ＃１を選択およびアクティブ化すると仮定した場合、図７のアソシエーションテーブルにより、ＵＥはパラメータＲＡＣＨ＃１またはＲＡＣＨ＃３を使用することを要求される。いずれにしても、ＵＥがパラメータＲＡＣＨ＃１またはＲＡＣＨ＃３でランダムアクセスメッセージ送信を行った際に、ターゲットｇＮＢは、ランダムアクセス送信が（正しい）ＵＬ  ＢＷＰ＃１で生じたことを再確認できる。
【０１４８】
このレベルの再確認は有益である。ランダムアクセス送信は完全なアップリンク帯域幅部分を占有せず、したがって、特に例えば２つの構成されたアップリンク帯域幅部分が互いに中央揃えされている場合または大きく重なって構成されている場合に、ターゲットｇＮＢが異なるアップリンク帯域幅部分を区別することが難しくなる。
【０１４９】
したがって、アソシエーションテーブルにより、ターゲットｇＮＢがランダムアクセスメッセージ送信を受信するが、どのアップリンク帯域幅部分がＵＥによって使用されたか、したがって選択およびアクティブ化されているかを判断できない状況が阻止される。
【０１５０】
加えて、図７のアソシエーションテーブルのパラメータは、選択およびアクティブ化されたダウンリンク部分に関する情報も伝達する。例えば、ＵＥがパラメータＲＡＣＨ＃１でランダムアクセスメッセージ送信を行うと、ターゲットｇＮＢは、ＵＬ  ＢＷＰ＃１だけでなくＤＬ  ＢＷＰ＃０が選択されたことも分かる。
【０１５１】
したがって、アソシエーションテーブルは、ＵＥおよびｇＮＢが、ハンドオーバ手順の（既に）一部である通信において使用するために、アップリンクおよびダウンリンクで構成された帯域幅部分のうちのいずれをＵＥが選択およびアクティブ化しているかの共通の理解に達するのを助ける。
【０１５２】
ここで、ＲＡＣＨベースのハンドオーバをさらに詳細に参照する。ハンドオーバコマンド中の情報に基づいて、ＵＥは、アップリンクおよびダウンリンクで構成された帯域幅部分のうちの１つを選択およびアクティブ化する。これらの帯域幅部分は、後続のハンドオーバ手順で使用される。
【０１５３】
ＵＥは、プリアンブルシーケンスならびに／または選択およびアクティブ化された帯域幅に対応するアソシエーションテーブルからの時間および周波数リソースを用いてランダムアクセスプリアンブルメッセージ（図６メッセージ４を参照）をターゲットｇＮＢに送信する。
【０１５４】
このランダムアクセスプリアンブルメッセージはターゲットｇＮＢで受信され、ランダムアクセス応答メッセージ（図６メッセージ５を参照）により応答される。このメッセージは、ターゲットｇＮＢからＵＥに送信される。ターゲットｇＮＢは、このメッセージの送信のために、ダウンリンクの対応する帯域幅部分を使用する。
【０１５５】
ランダムアクセス送信パラメータがＲＡＣＨ＃１である例に戻ると、ターゲットｇＮＢは、ランダムアクセス応答メッセージの送信のために、ダウンリンク帯域幅部分ＤＬ  ＢＷＰ＃０を使用する。ここでも、アソシエーションテーブルにより、ＵＥとターゲットｇＮＢとの間で構成された帯域幅部分のうちのいずれがハンドオーバ中およびハンドオーバ後に使用されるべきかの共通の理解が達成されることが理解できる。
【０１５６】
しかしながら、ＵＥでのこのレベルの自律性が望ましくないか、または不利にさえなる状況がある。
【０１５７】
したがって、この実装の例示的延長では、ハンドオーバ（要求）応答確認は、ＵＥが帯域幅部分を選択する自由を制限する、ハンドオーバコマンドにおいてＵＥに転送される帯域幅部分インデックスを含む。したがって、ＵＥは、構成された帯域幅部分に関する情報を受信するが、その中からインデックスに対応するものしか選択できない。この制限は、ソースｇＮＢによってハンドオーバコマンドにおいて課されることもできる。そのようなケースでは、帯域幅部分インデックスはソースｇＮＢによって決定される。
【０１５８】
このインデックスが、使用されるべき特定のダウンリンク帯域幅部分にインデックス付けすると同時に、ＵＥがハンドオーバのためのそのアップリンク帯域幅部分を（能動的に）選択する自由を保つときに、特に有利な効果が得られる。この場合、インデックスは、帯域幅部分の組合せのサブセット、すなわち帯域幅部分インデックスに対応する特定のダウンリンク帯域幅部分に対するアップリンク帯域幅部分にインデックス付けする。
【０１５９】
帯域幅部分インデックスのこのような定義により、ＵＥは、ハンドオーバコマンドに情報が含まれるすべての構成された帯域幅部分のサブセットから帯域幅部分を選択およびアクティブ化するように制限される。このサブセットは、すべての構成されたアップリンク帯域幅部分を含むが、ダウンリンク帯域幅部分はインデックスによって予め選択されるため、構成されたダウンリンク帯域幅部分は含まない。
【０１６０】
ＵＥは通常、自らのアップリンクトラフィックについて知り、予測するのに最適である一方で、ソースｇＮＢまたはターゲットｇＮＢは、ダウンリンクトラフィックを予測するのに最善をなしうるという観察から、有利な効果が生じる。言い換えれば、このインデックスは２つの対極、すなわちターゲットｇＮＢがすべての帯域幅部分を予め選択する一つの対極と、ＵＥがすべての帯域幅部分を選択するもう一つの対極との間に立つ。
【０１６１】
インデックスをもつこの例示的延長は、以下の修正と組合せたときにさらなる利点をもたらす。
【０１６２】
この実装のさらなる例示的延長では、ハンドオーバ要求メッセージは、ソースｇＮＢのアクティブ化された帯域幅部分の状態に関する情報をさらに含む。代わりにまたは加えて、ハンドオーバ要求メッセージは、ソースｇＮＢによって予測されるデータトラフィックに関する情報、例えばハンドオーバ後に期待されるデータトラフィックに関する情報を含む。
【０１６３】
いずれのケースでも、ソースｇＮＢは、この情報をハンドオーバ要求メッセージにおいてターゲットｇＮＢに転送する際に、ＵＥが構成された帯域幅部分からアップリンク帯域幅部分を（能動的に）選択する自由は制限せずに、構成された帯域幅部分のうちのいずれが予め選択されたダウンリンク帯域幅部分になるのに最適かを（能動的に）選択しうる。
【０１６４】
この予め選択されたダウンリンク帯域幅部分の選択をＵＥに伝達するために、ターゲットｇＮＢは、対応するインデックス（帯域幅部分インデックス）を、ソースｇＮＢによりハンドオーバコマンドの形でＵＥに中継されるハンドオーバ（要求）応答確認メッセージに含める。
【０１６５】
そして、ＵＥが構成された帯域幅部分を選択およびアクティブ化することが期待されるときには、ＵＥは、ハンドオーバコマンドに情報が含まれるすべての構成された帯域幅部分のサブセットからそれを行うように制限される。これにより、ＵＥは最善のアップリンク帯域幅部分を（能動的に）選択できないだけでなく、最善のダウンリンク帯域幅部分を選択する際のガイダンスも受信できない。
【０１６６】
言うまでもなく、アソシエーションテーブルにより、ターゲットｇＮＢは、構成されたアップリンク帯域幅部分のうちのいずれがＵＥによって選択およびアクティブ化されているかに関するレベルの再確認を得ることができる。
【０１６７】
この実装の別の例示的延長では、ハンドオーバ（要求）応答確認メッセージおよびハンドオーバコマンドに含まれる帯域幅部分インデックスは、ダウンリンクだけでなくアップリンクでも１つの帯域幅部分にインデックス付けする。それにより、ＵＥは、ダウンリンクにおいてもアップリンクにおいても、構成された帯域幅部分のいずれか１つを選択する自由を奪われる。
【０１６８】
例示的な実装のより一般的な議論に戻ると、ターゲットｇＮＢは、ＵＥがＲＡＣＨメッセージ１を送ることによりターゲットｇＮＢに最初にコンタクトするまでは、ＵＥが構成された帯域幅部分のうちの１つを事前に選択したことを知らないことに言及しなければならない。言い換えれば、ＵＥには、（少なくともアップリンクのために）構成された帯域幅部分のうちの（最適な）１つを選択し（同時に）アクティブ化する自由が真に与えられる。
【０１６９】
ランダムアクセス送信メッセージ（図６メッセージ４を参照）は、ＵＥにより選択されたアップリンク帯域幅部分で既に送信されるため、ターゲットｇＮＢは、選択の結果に関わらずこのメッセージを受信するために手配しなければならない。この不確実性により、ターゲットｇＮＢは、使用されるアップリンク帯域幅部分を予見できない状況におかれる。
【０１７０】
このため、ターゲットｇＮＢは、構成された帯域幅部分のうちの１つだけでなくすべての、例えばハンドオーバ（要求）応答確認およびハンドオーバコマンドメッセージに情報が含まれたすべてのアップリンク帯域幅部分をアクティブ化する。言い換えれば、以前の実装とは異なり、ターゲットｇＮＢは、１つではなくすべての構成されたアップリンク帯域幅部分を監視しなければならない。
【０１７１】
それにもかかわらず、アソシエーションテーブルにより構成された帯域幅部分のうちのいずれが選択されたかが明らかになると、ターゲットｇＮＢから不確実性が取り除かれ、ターゲットｇＮＢは、選択されていないすべての帯域幅部分の非アクティブ化を進めうる。
【０１７２】
ＵＥがランダムアクセスプリアンブル送信（図６メッセージ４）での使用のためにＲＡＣＨ＃１を選択している例に戻る。不確実性により、ターゲットｇＮＢは、（以前に）構成され追加の情報の形でＵＥに指示されているＵＬ  ＢＷＰ＃０およびＵＬ  ＢＷＰ＃１をアクティブ化しなければならない。そうして初めて、ターゲットｇＮＢは、選択内容にかかわらずメッセージを受信することを確保する。
【０１７３】
このＲＡＣＨ＃１でのランダムアクセスプリアンブル送信の受信により、ターゲットｇＮＢは、ＵＥの選択の結果についての知識を提供され、例えばＵＥが図７に示すようにＤＬ  ＢＷＰ＃０およびＵＬ  ＢＷＰ＃１を選択していることを知る。ターゲットｇＮＢは、構成されているが選択されていない残りの非アクティブ化を即座に進めうる。
【０１７４】
図８は、３ＧＰＰ  ＮＲ配置シナリオにおける第２実施形態の異なる例示的な実装によるハンドオーバ手順のシーケンス図を示す。この異なる例示的な実装は、図６に示される前述の例示的な実装に密接に関係するため、以下の議論は、違いのみに焦点を当てる。
【０１７５】
開始点として、この実装は、ハンドオーバには必ずしもＲＡＣＨ送信（ＲＡＣＨベースのハンドオーバと呼ばれる）は必要とされず、ハンドオーバはＲＡＣＨなしの様式（ＲＡＣＨなしハンドオーバと呼ばれる）でも考えられるという理解に基づく。
【０１７６】
このようなＲＡＣＨなしハンドオーバは、例えば、複数のｇＮＢの間に時間同期が存在するかまたはハンドオーバを行うＵＥが隣接セルに関する時間アドバンスを既に知っている（例えばセカンダリセル（ＳＣｅｌｌ）がプライマリセル（ＰＣｅｌｌ）に変更されるときに）移動通信システムにおいて想定される。このようなケースでは、ＵＥは、ソースセルからターゲットセルへのハンドオーバを行うときに時間同期を再確立するためにランダムアクセス手順を行うことを要しない。
【０１７７】
例えば、ＵＥは、このようなＲＡＣＨなしハンドオーバで、ソースｇＮＢとまたはターゲットｇＮＢと通信するときに同じタイミングアドバンスコマンドを再使用するであろう。ターゲットｇＮＢのタイミングに不確実性が存在しないときには、ランダムアクセス送信、例えばランダムアクセスプリアンブル送信を行う必要は全くない。
【０１７８】
この理解により、構成された帯域幅部分をさまざまなランダムアクセス送信パラメータと関連付けるアソシエーションテーブルが無用であることが直ちに明らかである。むしろ、この例示的な実装では、図９に示すように、構成された帯域幅部分をさまざまなアップリンク共有チャネル送信パラメータと関連付けるアソシエーションテーブルが存在する。
【０１７９】
例えば、さまざまなアップリンク共有チャネル送信パラメータには、ハンドオーバ完了メッセージ（図８メッセージ４を参照）を送信するときにＵＥにより使用されうる無線チャネルリソースの時間および周波数が含まれうる。言い換えれば、アップリンク共有チャネル送信パラメータは、ターゲット基地局の物理アップリンク共有チャネルのさまざまな無線リソースへのアップリンクグラントであると考えられうる。
【０１８０】
この基本的な違い以外は、ハンドオーバ手順は、ターゲットｇＮＢからソースｇＮＢを介してＵＥに送信される、ハンドオーバ（要求）応答確認メッセージ（図８メッセージ２を参照）に含まれ、ハンドオーバコマンドメッセージ（図８メッセージ３を参照）に含まれる情報に関して異なるだけである。
【０１８１】
これらのメッセージは、構成された帯域幅部分をさまざまなランダムアクセス送信パラメータと関連付けるアソシエーションテーブルを含まず、代わりに構成された帯域幅部分をさまざまなアップリンク共有チャネル送信パラメータと関連付けるアソシエーションテーブルを含む。
【０１８２】
さまざまなアップリンク共有チャネル送信パラメータにより、ターゲットｇＮＢはここでも有益なレベルの再確認を得る。ハンドオーバ完了送信は完全なアップリンク帯域幅部分を占有しないため、ターゲットｇＮＢは、特に例えば２つの構成されたアップリンク帯域幅部分が互いに中央揃えされているかまたは大きく重なって構成されている場合に、異なるアップリンク帯域幅部分を区別することが難しくなる。
【０１８３】
したがって、ここでも、アソシエーションテーブルにより、ターゲットｇＮＢがアップリンク共有チャネル送信を受信するが、どのアップリンク帯域幅部分がＵＥによって使用されたか、したがって選択およびアクティブ化されているかを判断できない状況が有利に阻止される。残りの詳細については、類似の形で手順ならびに利点を説明するものとして理解できる図６の上記の説明を参照されたい。
【０１８４】
ＵＥのために複数のコンポーネントキャリアが構成されるキャリアアグリゲーションの場合には、本開示の帯域幅部分の構成およびアクティブ化方法は、各コンポーネントキャリアについてのものであることに言及しなければならない。言い換えれば、各コンポーネントキャリアは独立した帯域幅部分の構成を有する。ハンドオーバ中には、ＵＥのＰＣｅｌｌが変更される。しかしながら、ＵＥのＳＣｅｌｌの構成は、ＵＥにより受信されるハンドオーバ応答確認に応じて解除されることもなお維持されることもできる。同様に、新たな帯域幅部分の構成が適宜提供されうる。
【０１８５】
最も一般的な説明にここで触れると、本開示は、ハンドオーバ時に協調的な帯域幅部分の構成を可能にするメカニズムを提供し、それによってハンドオーバ時に中断時間を最小化し、電力消費を低減すると要約できる。比喩的に言えば、ターゲット基地局の利用レベルが許せば、帯域幅部分は、図２Ｂに関して議論したようにソースセルおよびターゲットセルで同じに構成されうる。
【０１８６】
これは特に、ハンドオーバ要求メッセージ（図４、５、６および８メッセージ１を参照）が、ソース基地局の構成された少なくとも第３および異なる第４帯域幅部分に関する情報ならびに／またはソース基地局の構成された少なくとも第３および第４帯域幅部分のうちのアクティブ化されたものに関する情報をさらに含む場合に該当する。
【０１８７】
この場合、ターゲット基地局は、トランシーバにおいて、第３帯域幅部分および第４帯域幅部分にそれぞれ基づいて第１帯域幅部分および第２帯域幅部分を移動端末のために構成しうる。特に、ターゲット基地局は、第１帯域幅部分を第３帯域幅部分と同じ（または類似）に、第２帯域幅部分を第４帯域幅部分と同じ（または類似）に構成しうる。
【０１８８】
このように、ハンドオーバ時に協調的な帯域幅部分の構成が達成され、上で議論した多数の利点が実現される。
【０１８９】
最後に、ソース基地局で一番最近アクティブ化された帯域幅部分に関する情報をターゲット基地局ですぐに利用可能にすれば、このターゲット基地局は、移動端末のための帯域幅部分を協調的に構成できるだけでなく、ソース基地局の構成された帯域幅部分の中で以前にアクティブ化されたものと同じ帯域幅部分にインデックス付けする帯域幅部分インデックスを含むハンドオーバ（要求）応答確認メッセージを送信することもできる。
【０１９０】
本開示は、ソフトウェアによって、ハードウェアによって、またはハードウェアと協働するソフトウェアによって、実施することができる。上述した各実施形態の説明において使用される各機能ブロックは、その一部または全体を、集積回路などのＬＳＩによって実施することができ、各実施形態において説明した各プロセスは、その一部または全体を、同じＬＳＩまたはＬＳＩの組合せによって制御することができる。ＬＳＩは、チップとして個別に形成する、または、機能ブロックの一部またはすべてが含まれるように１個のチップを形成することができる。ＬＳＩは、自身に結合されたデータ入出力部を含むことができる。ＬＳＩは、集積度の違いに応じて、ＩＣ、システムＬＳＩ、スーパーＬＳＩ、またはウルトラＬＳＩとも称される。
【０１９１】
しかしながら、集積回路を実施する技術は、ＬＳＩに限定されず、専用回路、汎用プロセッサ、または専用プロセッサを使用することによって実施することができる。さらには、ＬＳＩの製造後にプログラムすることのできるＦＰＧＡ（フィールドプログラマブルゲートアレイ）や、ＬＳＩ内部に配置されている回路セルの接続および設定を再設定できるリコンフィギャラブル・プロセッサを使用することもできる。本開示は、デジタル処理またはアナログ処理として実施することができる。半導体技術または別の派生技術が進歩する結果として、ＬＳＩが将来の集積回路技術に置き換わる場合、その将来の集積回路技術を使用して機能ブロックを集積化することができる。バイオテクノロジを適用することもできる。
【０１９２】
第１態様によれば、移動通信システムにおいてソース基地局からターゲット基地局へのハンドオーバ手順を行うための移動端末が提案される。ターゲット基地局は、移動端末のためにそのセル帯域幅内の少なくとも第１帯域幅部分および異なる第２帯域幅部分で構成される。移動端末は、動作時にソース基地局から構成された少なくとも第１帯域幅部分および第２帯域幅部分に関する情報を含むハンドオーバコマンドメッセージを受信するトランシーバと、動作時およびハンドオーバコマンドメッセージの受信時に、トランシーバにおいて、構成された少なくとも第１帯域幅部分または第２帯域幅部分のうちの少なくとも予め選択された１つをアクティブ化し、構成された少なくとも第１帯域幅部分または第２帯域幅部分のうちのアクティブ化された少なくとも１つでハンドオーバ手順の一部としてターゲット基地局との通信を行うようにトランシーバを制御するプロセッサと、を含む。
【０１９３】
第１態様と組合せることができる第２態様によれば、構成された少なくとも第１帯域幅部分および第２帯域幅部分に関する情報は、特定のシーケンスがあり、プロセッサは、動作時に、特定のシーケンスの最初の帯域幅部分もしくは最後の帯域幅部分、または少なくとも第１帯域幅部分および第２帯域幅部分より多くの帯域幅部分が構成される場合には特定の他の帯域幅部分を、帯域幅部分のうちの予め選択された１つとしてアクティブ化する。
【０１９４】
第１態様と組合せることができる第３態様によれば、受信されるハンドオーバコマンドメッセージは、帯域幅部分インデックスをさらに含み、プロセッサは、帯域幅部分インデックスに対応する、構成された少なくとも第１帯域幅部分または第２帯域幅部分のうちの予め選択された１つをアクティブ化する。
【０１９５】
第１〜第３態様と組合せることができる第４態様によれば、プロセッサは、ハンドオーバ手順の一部として少なくともターゲット基地局へのランダムアクセスメッセージ送信を行うようにトランシーバを制御する。
【０１９６】
第１〜第４態様と組合せることができる第５態様によれば、受信されるハンドオーバコマンドメッセージが、構成された少なくとも第１帯域幅部分および第２帯域幅部分のうちの少なくとも予め選択された１つと関連付けられた複数の異なるランダムアクセス送信パラメータをさらに含む場合には、プロセッサは、構成された少なくとも第１帯域幅部分または第２帯域幅部分のうちのアクティブ化された予め選択された１つに関連付けられたランダムアクセス送信パラメータを使用して少なくともターゲット基地局へのランダムアクセスメッセージ送信を行うようにトランシーバを制御する。
【０１９７】
第６態様によれば、移動通信システムにおいてソース基地局からターゲット基地局へのハンドオーバ手順を行うための移動端末が提案される。ターゲット基地局は、移動端末のためにそのセル帯域幅内の少なくとも第１帯域幅部分および異なる第２帯域幅部分で構成される。移動端末は、動作時にソース基地局から構成された少なくとも第１帯域幅部分および第２帯域幅部分に関する情報を含むハンドオーバコマンドメッセージを受信するトランシーバと、動作時およびハンドオーバコマンドメッセージの受信時に、トランシーバにおいて、構成された少なくとも第１帯域幅部分または第２帯域幅部分のうちの少なくとも１つを選択およびアクティブ化し、構成された少なくとも第１帯域幅部分または第２帯域幅部分のうちの選択およびアクティブ化された少なくとも１つでハンドオーバ手順の一部としてターゲット基地局との通信を行うようにトランシーバを制御するプロセッサと、を含む。
【０１９８】
第６態様と組合せることができる第７態様によれば、受信されるハンドオーバコマンドメッセージは、帯域幅部分インデックスをさらに含み、プロセッサは、動作時に、トランシーバにおいて、帯域幅部分インデックスに対応する、構成された少なくとも第１帯域幅部分または第２帯域幅部分のサブセットのうちの１つを選択およびアクティブ化する。
【０１９９】
第６態様と組合せることができる第８態様によれば、帯域幅部分インデックスは、特定のダウンリンク帯域幅部分に対するアップリンク帯域幅部分のサブセットにインデックス付けし、プロセッサは、動作時に、トランシーバにおいて、帯域幅部分インデックスに対応する、構成された少なくとも第１帯域幅部分または第２帯域幅部分のサブセットを選択およびアクティブ化する。
【０２００】
第６〜第８態様と組合せることができる第９態様によれば、受信されるハンドオーバコマンドメッセージは、構成された少なくとも第１帯域幅部分および第２帯域幅部分のそれぞれまたはサブセットと関連付けられた複数の異なるランダムアクセス送信パラメータをさらに含み、プロセッサは、動作時に、構成された少なくとも第１帯域幅部分または第２帯域幅部分のうちの選択およびアクティブ化された１つに関連付けられたランダムアクセス送信パラメータを使用して少なくともランダムアクセスメッセージ送信を行うようにトランシーバを制御する。
【０２０１】
第９態様と組合せることができる第１０態様によれば、複数のランダムアクセス送信パラメータは、ランダムアクセスメッセージとともに送信されるランダムアクセスプリアンブルシーケンス、およびターゲット基地局にランダムアクセスメッセージを送信するときに移動端末により使用される無線チャネルリソースの時間および周波数のうちの少なくとも１つまたは複数を含む。
【０２０２】
第１１態様によれば、移動通信システムにおいてソース基地局からの移動端末のハンドオーバ手順を行うためのターゲット基地局が提案される。ターゲット基地局は、そのセル帯域幅内の少なくとも第１帯域幅部分および異なる第２帯域幅部分のそれぞれで移動端末と通信することができる。ターゲット基地局は、動作時にソース基地局から少なくとも第１帯域幅部分および第２帯域幅部分で通信する移動端末の能力に関する情報を含むハンドオーバ要求メッセージを受信するトランシーバと、動作時およびハンドオーバ要求メッセージの受信時に、移動端末のために少なくとも第１帯域幅部分および第２帯域幅部分を構成するようにトランシーバを制御し、ソース基地局にハンドオーバ要求応答確認メッセージを送信するようにトランシーバを制御するプロセッサであって、ハンドオーバ要求応答確認メッセージは構成された少なくとも第１帯域幅部分および第２帯域幅部分に関する情報を含む、プロセッサと、を含む。
【０２０３】
第１１態様と組合せることができる第１２態様によれば、プロセッサは、動作時およびハンドオーバ要求応答確認メッセージを送信するようにトランシーバを制御した後に、トランシーバにおいて、構成された少なくとも第１帯域幅部分または第２帯域幅部分のうちの移動端末がアクティブ化することが期待される同じ予め選択された１つをアクティブ化する。
【０２０４】
第１２態様と組合せることができる第１３態様によれば、構成された少なくとも第１帯域幅部分および第２帯域幅部分に関する情報は、特定のシーケンスがあり、プロセッサは、動作時に、特定のシーケンスの最初の帯域幅部分もしくは最後の帯域幅部分、または少なくとも第１帯域幅部分および第２帯域幅部分より多くの帯域幅部分が構成される場合には特定の他の帯域幅部分を、帯域幅部分のうちの予め選択された１つとしてアクティブ化する。
【０２０５】
第１２態様と組合せることができる第１４態様によれば、ハンドオーバ要求応答確認メッセージは、帯域幅部分インデックスをさらに含み、プロセッサは、動作時に、帯域幅部分インデックスに対応する、構成された少なくとも第１帯域幅部分または第２帯域幅部分のうちの予め選択された１つをアクティブ化する。
【０２０６】
第１１〜第１４態様と組合せることができる第１５態様によれば、ハンドオーバ要求メッセージは、アクティブ化された帯域幅部分の状態に関する情報または予測トラフィック情報をさらに含み、プロセッサは、動作時およびハンドオーバ要求メッセージの受信時に、移動端末がハンドオーバ手順の一部として予め選択された帯域幅部分としてアクティブ化することが期待される少なくとも第１帯域幅部分および第２帯域幅部分のうちの少なくとも１つを選択およびアクティブ化するようにトランシーバを制御する。
【０２０７】
第１１態様と組合せることができる第１６態様によれば、プロセッサは、動作時およびハンドオーバ要求応答確認メッセージを送信するようにトランシーバを制御した後に、トランシーバにおいて、構成された少なくとも第１帯域幅部分または第２帯域幅部分のうちのすべてをアクティブ化する。
【０２０８】
第１１態様と組合せることができる第１７態様によれば、ハンドオーバ要求応答確認メッセージは、構成された少なくとも第１帯域幅部分および第２帯域幅部分のうちの異なるものとそれぞれ関連付けられた複数の異なるアップリンク共有チャネル送信パラメータをさらに含み、プロセッサは、動作時に、構成された少なくとも第１帯域幅部分または第２帯域幅部分と関連付けられた複数のアップリンク共有チャネル送信パラメータのうちのすべてを使用してハンドオーバ完了メッセージ送信の候補をスケジューリングするようにトランシーバを制御する。
【０２０９】
第１７態様と組合せることができる第１８態様によれば、複数のアップリンク共有チャネル送信パラメータは、ターゲット基地局にハンドオーバ完了メッセージを送信するときに移動端末により使用される無線チャネルリソースの時間および周波数を含む。
【０２１０】
第１７または第１８態様と組合せることができる第１９態様によれば、ハンドオーバ要求応答確認メッセージが、構成された少なくとも第１帯域幅部分および第２帯域幅部分のうちの異なるものとそれぞれ関連付けられた複数のアップリンク共有チャネル送信パラメータをさらに含む場合には、トランシーバは、動作時に、移動端末から、構成された少なくとも第１帯域幅部分または第２帯域幅部分のうちの移動端末によって選択およびアクティブ化されたものに関連付けられた複数のアップリンク共有チャネル送信パラメータのうちの１つを使用してハンドオーバ完了メッセージ送信をさらに受信し、プロセッサは、動作時に、移動端末が選択およびアクティブ化していない、構成された少なくとも第１帯域幅部分および第２帯域幅部分のうちの残りを非アクティブ化する。
【０２１１】
第１１態様と組合せることができる第２０態様によれば、ハンドオーバ要求応答確認メッセージは、構成された少なくとも第１帯域幅部分および第２帯域幅部分のうちの異なるものとそれぞれ関連付けられた複数の異なるランダムアクセス送信パラメータをさらに含み、プロセッサは、構成された少なくとも第１帯域幅部分または第２帯域幅部分に関連付けられた複数のランダムアクセス送信パラメータのうちのすべてを使用してランダムアクセスメッセージ送信を予約するようにトランシーバを制御する。
【０２１２】
第２０態様と組合せることができる第２１態様によれば、複数のランダムアクセス送信パラメータは、ランダムアクセスメッセージとともに送信されるランダムアクセスプリアンブルシーケンス、ターゲット基地局にランダムアクセスメッセージを送信するときに移動端末により使用される無線チャネルリソースの時間および周波数のうちの少なくとも１つまたは複数を含む。
【０２１３】
第２１態様と組合せることができる第２２態様によれば、ハンドオーバ要求応答確認メッセージが、構成された少なくとも第１帯域幅部分および第２帯域幅部分のうちの異なるものとそれぞれ関連付けられた複数の異なるランダムアクセス送信パラメータをさらに含む場合には、トランシーバは、動作時に、移動端末から、構成された少なくとも第１帯域幅部分または第２帯域幅部分のうちの移動端末によって選択およびアクティブ化されたものに関連付けられた複数のランダムアクセス送信パラメータのうちの１つを使用してランダムアクセスメッセージ送信をさらに受信し、プロセッサは、動作時に、移動端末が選択およびアクティブ化していない、構成された少なくとも第１帯域幅部分および第２帯域幅部分のうちの残りを非アクティブ化する。
【０２１４】
第１１態様と組合せることができる第２３態様によれば、ハンドオーバ要求メッセージは、ソース基地局で移動端末のために構成された少なくとも第３帯域幅部分および異なる第４帯域幅部分に関する情報をさらに含む。
【０２１５】
第２３態様と組合せることができる第２４態様によれば、ハンドオーバ要求メッセージは、ソース基地局の構成された少なくとも第３帯域幅部分および第４帯域幅部分のうちのアクティブ化された１つに関する情報をさらに含む。
【０２１６】
第２４態様と組合せることができる第２５態様によれば、プロセッサは、動作時に、トランシーバにおいて、移動端末のために、第３帯域幅部分および第４帯域幅部分にそれぞれ基づいて第１帯域幅部分および第２帯域幅部分を構成する。
【０２１７】
第２５態様と組合せることができる第２６態様によれば、プロセッサは、動作時に、帯域幅部分インデックスを含むハンドオーバ要求応答確認メッセージを送信するようにトランシーバを制御し、帯域幅部分インデックスは、ソース基地局の構成された少なくとも第３帯域幅部分および第４帯域幅部分のうちの以前にアクティブ化されたものと同じ帯域幅部分を指示する。
【０２１８】
第２７態様によれば、移動通信システムにおいてソース基地局からターゲット基地局への移動端末のハンドオーバ手順を行うための方法が提案される。ターゲット基地局は、移動端末のためにそのセル帯域幅内の少なくとも第１帯域幅部分および異なる第２帯域幅部分で構成される。この方法は、ソース基地局から、構成された少なくとも第１帯域幅部分および第２帯域幅部分に関する情報を含むハンドオーバコマンドメッセージを受信するステップと、ハンドオーバコマンドメッセージの受信時に、構成された少なくとも第１帯域幅部分または第２帯域幅部分のうちの少なくとも予め選択された１つをアクティブ化し、構成された少なくとも第１帯域幅部分または第２帯域幅部分のうちのアクティブ化された少なくとも１つでハンドオーバ手順の一部としてターゲット基地局と通信するステップと、を含む。
【０２１９】
第２８態様によれば、移動通信システムにおいてソース基地局からターゲット基地局への移動端末のハンドオーバ手順を行うための方法が提案される。ターゲット基地局は、移動端末のためにそのセル帯域幅内の少なくとも第１帯域幅部分および異なる第２帯域幅部分で構成される。この方法は、ソース基地局から、構成された少なくとも第１帯域幅部分および第２帯域幅部分に関する情報を含むハンドオーバコマンドメッセージを受信するステップと、ハンドオーバコマンドメッセージの受信時に、構成された少なくとも第１帯域幅部分または第２帯域幅部分のうちの少なくとも１つを選択およびアクティブ化し、構成された少なくとも第１帯域幅部分または第２帯域幅部分のうちの選択およびアクティブ化された少なくとも１つでハンドオーバ手順の一部としてターゲット基地局と通信するステップと、を含む。
【０２２０】
第２９態様によれば、移動通信システムにおいてターゲット基地局がソース基地局からの移動端末のハンドオーバ手順を行うための方法が提案される。ターゲット基地局は、そのセル帯域幅内の少なくとも第１帯域幅部分および異なる第２帯域幅部分それぞれで移動端末と通信することができる。この方法は、ソース基地局から少なくとも第１帯域幅部分および第２帯域幅部分で通信する移動端末の能力に関する情報を含むハンドオーバ要求メッセージを受信するステップと、ハンドオーバ要求メッセージの受信時に、移動端末のために少なくとも第１帯域幅部分および第２帯域幅部分を構成し、ソース基地局にハンドオーバ要求応答確認メッセージを送信するステップであって、ハンドオーバ要求応答確認メッセージは、構成された少なくとも第１帯域幅部分および第２帯域幅部分に関する情報を含む、ステップと、を含む。
【図１Ａ】
2021514120.tif 000003
【図１Ｂ】
2021514120.tif 000004
【図２Ａ】
2021514120.tif 000005
【図２Ｂ】
2021514120.tif 000006
【図３】
2021514120.tif 000007
【図４】
2021514120.tif 000008
【図５】
2021514120.tif 000009
【図６】
2021514120.tif 000010
【図７】
2021514120.tif 000011
【図８】
2021514120.tif 000012
【図９】
2021514120.tif 000013
【国際調査報告】
2021514120.tif 000014
2021514120.tif 000015
2021514120.tif 000016
2021514120.tif 000017
2021514120.tif 000018
2021514120.tif 000019
2021514120.tif 000020
2021514120.tif 000021